(57)【要約】【課題】個人視覚特性を高精度に測定することができる技術を提供する。【解決手段】本発明の表示装置は、発光手段と、前記発光手段からの光を変調することで画面上に画像を表示する表示手段と、を有し、ユーザの視覚特性の測定に用いるための第１画像と第２画像を画面に表示する際に、前記発光手段は、前記画面の領域のうち、少なくとも前記第１画像が表示される領域を含む領域では前記第１の光を発し、少なくとも前記第２画像が表示される領域を含む領域では前記第１の光よりも発光スペクトル分布が広い第２の光を発する。【選択図】図８
2015111230.tif 000002
【特許請求の範囲】
【請求項１】
発光手段と、
前記発光手段からの光を変調することで画面上に画像を表示する表示手段と、
を有し、
ユーザの視覚特性の測定に用いるための第１画像と第２画像を画面に表示する際に、前記発光手段は、前記画面の領域のうち、少なくとも前記第１画像が表示される領域を含む領域では前記第１の光を発し、少なくとも前記第２画像が表示される領域を含む領域では前記第１の光よりも発光スペクトル分布が広い第２の光を発する
ことを特徴とする表示装置。
【請求項２】
通常の画像表示を行う際に、前記発光手段は、前記画面の領域全体で前記第１の光を発する
ことを特徴とする請求項１に記載の表示装置。
【請求項３】
前記発光手段は、画面の領域のうちの一部の領域で前記第１の光と前記第２の光を切り替えて発光可能に構成されており、
前記第２画像は、前記第１の光と前記第２の光を切り替えて発光可能な前記領域内に表示される
ことを特徴とする請求項１または２に記載の表示装置。
【請求項４】
前記発光手段は、画面の領域全体で前記第１の光と前記第２の光を切り替えて発光可能に構成されている
ことを特徴とする請求項１または２に記載の表示装置。
【請求項５】
前記第１画像と前記第２画像を前記画面に表示させる表示制御手段と、
前記画面に表示された前記第１画像と前記第２画像の、ユーザによる知覚結果を取得する取得手段と、
をさらに有する
ことを特徴とする請求項１〜４のいずれか１項に記載の表示装置。
【請求項６】
前記発光手段の発光を制御する発光制御手段をさらに有する
ことを特徴とする請求項１〜５のいずれか１項に記載の表示装置。
【請求項７】
前記発光手段は、
第１光源と第２光源を有し、
前記第１光源を駆動することにより前記第１の光を発し、
前記第２光源を駆動することにより前記第２の光を発する
ことを特徴とする請求項１〜６のいずれか１項に記載の表示装置。
【請求項８】
前記発光手段は、
第１光源と第２光源を有し、
前記第１光源を駆動することにより前記第１の光を発し、
前記第１光源と前記第２光源の両方を駆動することにより前記第２の光を発する
ことを特徴とする請求項１〜６のいずれか１項に記載の表示装置。
【請求項９】
前記第１光源は、互いに異なる有色光を発する複数の有色ＬＥＤを有し、
前記第２光源は、白色光を発する冷陰極管素子を有する
ことを特徴とする請求項７または８に記載の表示装置。
【請求項１０】
前記第１光源は、互いに異なる有色光を発する複数の有色ＬＥＤを有し、
前記第２光源は、白色光を発する白色ＬＥＤを有する
ことを特徴とする請求項７または８に記載の表示装置。
【請求項１１】
前記第１光源は、互いに異なる有色光を発する複数の有色ＬＥＤを有し、
前記第２光源は、前記第１光源が有する有色ＬＥＤが発する光の波長と異なる波長の光を発する有色ＬＥＤを有する
ことを特徴とする請求項８に記載の表示装置。
【請求項１２】
前記第１光源が有する前記複数の有色ＬＥＤは、赤色ＬＥＤ、緑色ＬＥＤ、及び、青色ＬＥＤを含む
ことを特徴とする請求項９〜１１のいずれか１項に記載の表示装置。
【請求項１３】
前記第１光源が有する前記複数の有色ＬＥＤは、赤色ＬＥＤ、緑色ＬＥＤ、及び、青色ＬＥＤを含み、
前記第２光源が有する前記有色ＬＥＤは、
前記赤色ＬＥＤが発する光の波長と、前記緑色ＬＥＤが発する光の波長との間の波長の光を発する有色ＬＥＤと、
前記緑色ＬＥＤが発する光の波長と、前記青色ＬＥＤが発する光の波長との間の波長の光を発する有色ＬＥＤと、
を含む
ことを特徴とする請求項１１に記載の表示装置。
【請求項１４】
前記第１光源が有する前記複数の有色ＬＥＤは、赤色ＬＥＤ、緑色ＬＥＤ、及び、第１の青色ＬＥＤを含み、
前記第２光源が有する前記有色ＬＥＤは、前記第１の青色ＬＥＤが発する光の波長とは異なる波長の光を発する第２の青色ＬＥＤである
ことを特徴とする請求項１１に記載の表示装置。
【請求項１５】
前記表示手段は、通常の画像表示を行う際に、測定された視覚特性に基づく画質調整処理が施されていない基準画像と、前記基準画像に前記画質調整処理を施した検証画像と、を表示し、
前記基準画像と前記検証画像を画面に表示する際に、前記発光手段は、前記画面の領域のうち、少なくとも前記検証画像が表示される領域を含む領域では前記第１の光を発し、少なくとも前記基準画像が表示される領域を含む領域では前記第２の光を発する
ことを特徴とする請求項１〜１４のいずれか１項に記載の表示装置。
【請求項１６】
前記表示装置は、通常の画像表示を行う際に、前記基準画像、前記検証画像、及び、メイン画像に前記画質調整処理を施した表示用メイン画像を表示し、
前記基準画像は、前記メイン画像に含まれる色である含有色の画像である
ことを特徴とする請求項１５に記載の表示装置。
【請求項１７】
前記基準画像は、前記メイン画像の複数の含有色のうち、ユーザの視覚特性の違いによる色の見えの違いが最も目立つ含有色の画像である
ことを特徴とする請求項１６に記載の表示装置。
【請求項１８】
ユーザの視覚特性の違いによる色の見えの違いが最も目立つ含有色は、ユーザの視覚特性の違いによる含有色の見えの違いの度合いに、前記メイン画像の領域のサイズに対する含有色の領域のサイズの割合を乗算した値が最も大きい含有色である
ことを特徴とする請求項１７に記載の表示装置。
【請求項１９】
前記基準画像は、前記メイン画像の複数の含有色のうち、ユーザが指定した含有色の画像である
ことを特徴とする請求項１６に記載の表示装置。
【請求項２０】
発光手段と、
前記発光手段からの光を変調することで画面上に画像を表示する表示手段と、
を有する表示装置の制御方法であって、
ユーザの視覚特性の測定に用いるための第１画像と第２画像を画面に表示させる表示制御ステップと、
ユーザの視覚特性の測定に用いるための第１画像と第２画像を画面に表示する際に、前記画面の領域のうち、少なくとも前記第１画像が表示される領域を含む領域では前記第１の光を発し、少なくとも前記第２画像が表示される領域を含む領域では前記第１の光よりも発光スペクトル分布が広い第２の光を発するように、前記発光手段の発光を制御する発光制御ステップと、
を有することを特徴とする表示装置の制御方法。
【発明の詳細な説明】
【技術分野】
【０００１】
本発明は、表示装置及びその制御方法に関する。
【背景技術】
【０００２】
人が感じる色（知覚色）は、観察対象の分光特性と等色関数から決まることが知られている。分光特性は物体の色を定量的に示す指標であり、モニタ（表示装置）の発光スペクトルや印刷物の反射光スペクトル等で表される。知覚色はＸＹＺ刺激値で表現され、Ｘが目の赤色感覚に対する刺激値、Ｙが目の緑色感覚に対する刺激値、Ｚが目の青色感覚に対する刺激値である。
【０００３】
図１に、等色関数と観察対象の分光特性から知覚色が決まるしくみについて示す。符号１０１は、白を表示したときのモニタの分光特性（発光スペクトル分布の特性）を示し、符号１０２は、等色関数を示す。波長毎に、分光特性の値に、Ｘ刺激値を求めるための等色関数１０２Ｘの値を乗算し、波長毎の乗算結果の合計値をＸ刺激値として算出することができる。同様に、Ｙ刺激値を求めるための等色関数１０２Ｙを用いてＹ刺激値を算出することができ、Ｚ刺激値を求めるための等色関数１０２Ｚを用いてＺ刺激値を算出することができる。符号１０３で示す部分（グレーで塗りつぶされた部分）の面積が、赤色成分を示すＸ刺激値である。同様に、符号１０４で示す部分の面積は緑色成分を示すＹ刺激値であり、符号１０５で示す部分の面積は青色成分を示すＺ刺激値である。図１に示すように、観察対象の分光特性の値に等色関数の値を乗算した値の積分値が、知覚色を示すＸＹＺ刺激値として算出される。
【０００４】
しかし、等色関数は観察者に依って異なるため、観察者間で観察対象の分光特性が同じであっても、観察者間で知覚色が異なることがある。観察者間の知覚色のずれ量は、観察対象の分光特性に依存する。例えば、発光スペクトル分布が広い（ブロードな）分光特性の光よりも、発光スペクトル分布が狭い（ナローな）分光特性の光の方が、観察者間の知覚色のずれ量は大きくなりやすい。具体的には、太陽光や蛍光灯（高演色性を有するＤ５０蛍光灯）からの光のように多くの波長の光を含む光よりも、ＬＥＤ（Ｌｉｇｈｔ  Ｅｍｉｔｔｉｎｇ  Ｄｉｏｄｅ）からの光のように特定の波長にピークを有する光の方が、上記ずれ量は大きくなりやすい。
【０００５】
そこで、観察者個人の色知覚を示す視覚特性（個人視覚特性）を測定する方法が検討されている。図２を用いて、個人視覚特性の測定方法の従来例を説明する。
符号２０１は、印刷紙２０３に印刷されている基準パッチ２０４に光を照射する高演色性の蛍光灯を示す。蛍光灯２０１から発せられた光は高演色性の光であり、蛍光灯２０１から発せられて基準パッチ２０４で反射した反射光も高演色性の光である。そのため、基準パッチ２０４は、人や視野の変化による知覚色の変化が少なく、個人視覚特性の測定の基準として用いることができる。モニタ２０２には画像データの値が互いに異なる複数の測定パッチ２０５が表示される。測定者２０７は、入力デバイス２０６を使用して、モニタ２０２に表示された複数の測定パッチ２０５の中から、基準パッチ２０４に最も近いと感じる測定パッチを選択する。それにより、基準パッチの色に最も近い色が知覚される画像データの値が特定される。そして、基準パッチに対応する画像データの値と、ユーザが選択した測定パッチの画像データの値との差分を示す差分データが、観察者２０７の視覚特性情報として取得される。
色が異なる複数の基準パッチのそれぞれについて上述した処理を行うことにより、複数の色についての複数の視覚特性情報を取得することができる。
また、複数の色についての複数の視覚特性情報を基に、測定に用いた基準パッチの色以
外の色についての差分データを算出することにより、モニタで表示可能なすべての色についての視覚特性情報を取得することができる。
そして、複数の色についての複数の視覚特性情報を基に、観察者２０７の等色関数を算出することができる。
【０００６】
また、任意の観察環境において明度に対する等色実験のみを行うことによってモニタの表示色を印刷物と一致させる技術が、特許文献１に開示されている。特許文献１に開示の技術では、ユーザによって、特定の光源下における印刷物とモニタの色が比較され、モニタの色が印刷物と一致するようにパラメータが調整される。その後、ユーザによる調整後のパラメータがモニタの明度に反映され、パラメータ反映後の明度がモニタの輝度に変換され、変換された輝度を基にＸＹＺ値が変換される。
【先行技術文献】
【特許文献】
【０００７】
【特許文献１】特開平０８−２９２７３５号公報
【発明の概要】
【発明が解決しようとする課題】
【０００８】
従来は、観察者に依る知覚色の変化が小さい高演色性の光を発するＤ５０蛍光灯の下でモニタが使用されており、Ｄ５０蛍光灯の下で印刷物の観察が行われていたため、印刷物を個人視覚特性の測定の基準として用いることができた。しかし、今後はＬＥＤ照明など、蛍光灯とは異なる分光特性の光を発する照明下にてモニタが使用され、そのような照明下で印刷物の観察が行われることが考えられる。
【０００９】
上述したように、知覚色は、観察対象の分光特性と個人に依存する等色関数とによって決まる。また、観察者間の知覚色のずれ量は、観察対象の分光特性に依存する。そのため、使用する照明に依っては、観察者間で印刷物の知覚色のずれが生じ、個人視覚特性を高精度に測定することができないことがある。
【００１０】
図３に、印刷物を照射する環境光の違いにより、観察者間で印刷物の知覚色に差が生じるしくみについて示す。
【００１１】
図３において、符号３０１は観察者Ａの等色関数を示し、符号３０２は観察者Ｂの等色関数を示す。等色関数は、波長に対する人の目の感度を示す関数である。図３には、説明を簡略化するために、刺激値Ｚに関する等色関数のみが示されている。符号３０３は、ＬＥＤ照明下における印刷物（ＬＥＤ照明から発せられ、印刷物で反射した反射光）の分光特性を示す。符号３０４は、蛍光灯下における印刷物の分光特性を示す。蛍光灯下における印刷物の分光特性は、ＬＥＤ照明下における印刷物の分光特性に比べて、発光スペクトル分布が広い波形を有する。換言すれば、蛍光灯下における印刷物の分光特性は、ＬＥＤ照明下における印刷物の分光特性とは異なり、広い波長帯域に渡って高い強度を有する。
【００１２】
符号３０７で示される斜線部の面積は、蛍光灯下の印刷物に対する観察者Ａの知覚色を表し、符号３０８で示される斜線部の面積は、蛍光灯下の印刷物に対する観察者Ｂの知覚色を表す。蛍光灯下における印刷物の分光特性は広い波長帯域に渡って高い強度を有するため、符号３０７，３０８で示すように、観察者間で等色関数の形状が異なっていたとしても、観察者間で知覚色の大きなずれは生じない。
【００１３】
符号３０５で示される斜線部の面積は、ＬＥＤ照明下の印刷物に対する観察者Ａの知覚色を示し、符号３０６で示される斜線部の面積は、ＬＥＤ照明下の印刷物に対する観察者Ｂの知覚色である。ＬＥＤ照明下における印刷物の分光特性は一部の波長帯域に強度が集
中しているため、符号３０５，３０６で示すように、観察者間で等色関数の形状が異なっている場合に、観察者間で知覚色の大きなずれが生じてしまう。
【００１４】
このように、使用する照明に依っては、観察者間で印刷物の知覚色のずれが生じ、個人視覚特性を高精度に測定することができないことがある。即ち、印刷物を個人視覚特性の測定の基準として用いることができないことがある。
【００１５】
本発明は、個人視覚特性を高精度に測定することができる技術を提供することを目的とする。
【課題を解決するための手段】
【００１６】
本発明の第１の態様は、
発光手段と、
前記発光手段からの光を変調することで画面上に画像を表示する表示手段と、
を有し、
ユーザの視覚特性の測定に用いるための第１画像と第２画像を画面に表示する際に、前記発光手段は、前記画面の領域のうち、少なくとも前記第１画像が表示される領域を含む領域では前記第１の光を発し、少なくとも前記第２画像が表示される領域を含む領域では前記第１の光よりも発光スペクトル分布が広い第２の光を発する
ことを特徴とする表示装置である。
【００１７】
本発明の第２の態様は、
発光手段と、
前記発光手段からの光を変調することで画面上に画像を表示する表示手段と、
を有する表示装置の制御方法であって、
ユーザの視覚特性の測定に用いるための第１画像と第２画像を画面に表示させる表示制御ステップと、
ユーザの視覚特性の測定に用いるための第１画像と第２画像を画面に表示する際に、前記画面の領域のうち、少なくとも前記第１画像が表示される領域を含む領域では前記第１の光を発し、少なくとも前記第２画像が表示される領域を含む領域では前記第１の光よりも発光スペクトル分布が広い第２の光を発するように、前記発光手段の発光を制御する発光制御ステップと、
を有することを特徴とする表示装置の制御方法である。
【発明の効果】
【００１８】
本発明によれば、個人視覚特性を高精度に測定することができる。
【図面の簡単な説明】
【００１９】
【図１】等色関数と分光特性から知覚色が決まるしくみを示す図
【図２】従来の個人視覚特性の測定方法を示す図
【図３】環境光の違いによって知覚色のずれが生じるしくみを示す図
【図４】実施例１に係る個人視覚特性の測定方法を示す図
【図５】実施例１に係る表示装置の構成を示すブロック図
【図６】実施例１に係るバックライトユニットの構成を示す図
【図７】実施例１に係る表示装置の動作を示すフローチャート
【図８】実施例１に係る発光切替処理を示す図
【図９】実施例１に係る発光切替処理を示すフローチャート
【図１０】実施例１に係る発光切替処理を示すフローチャート
【図１１】実施例１の効果を示す図
【図１２】実施例２に係る表示装置の構成を示すブロック図
【図１３】実施例２に係るバックライトユニットの構成を示す図
【図１４】実施例２に係る発光素子の分光特性を示す図
【図１５】実施例２に係る発光切替処理を示す図
【図１６】実施例３に係るバックライトユニットの構成を示す図
【図１７】実施例３に係る発光素子の分光特性を示す図
【図１８】実施例４に係る表示装置の構成を示すブロック図
【図１９】実施例４に係るバックライトユニットの構成を示す図
【図２０】実施例４に係る発光切替処理を示す図
【図２１】実施例５に係るバックライトユニットの構成を示す図
【図２２】実施例６に係る個人視覚特性の測定方法を示す図
【図２３】実施例６に係る表示装置と表示制御装置の構成を示すブロック図
【図２４】実施例７に係る表示制御装置と表示装置の構成を示すブロック図
【図２５】実施例７に係るシステムの大まかな構成を示す図
【図２６】実施例７に係るバックライトユニットの構造を示す正面図
【図２７】実施例７に係るシステムの処理の流れを示すフローチャート
【図２８】実施例７に係る表示画像を示す図
【図２９】実施例７に係る分光特性を示す図
【図３０】実施例８に係る表示制御装置と表示装置の構成の一例を示すブロック図
【図３１】実施例８に係るシステムの処理の流れを示すフローチャート
【図３２】実施例８に係る基準画像の色の決定方法を示す図
【発明を実施するための形態】
【００２０】
＜実施例１＞
本発明の実施例１に係る表示装置及びその制御方法について説明する。実施例１では、測定パッチ（第１画像）と基準パッチ（第２画像）を表示し、ユーザに基準パッチと測定パッチを比較させることによりユーザの視覚特性（個人の視覚特性；個人視覚特性）を測定する例を説明する。
なお、本実施例では、第１画像と第２画像がパッチ画像である場合の例を説明するが、第１画像と第２画像はパッチ画像でなくてもよい。例えば、第１画像と第２画像は、アイコンなどの所定のグラフィック画像であってもよい。
【００２１】
本実施例に係る表示装置は、発光部と、発光部からの光を変調することで画面上に画像を表示する表示部と、を有する。
【００２２】
発光部は、通常の画像表示を行う際に、画面の領域全体で第１の光を発する。具体的には、発光部は、第１光源を有し、通常の画像表示を行う際に、第１光源を駆動することにより、第１の光を発する。本実施例では、第１光源は、発光素子として、互いに異なる有色光を発する複数の有色ＬＥＤを有する。本実施例では、第１光源が有する複数の有色ＬＥＤは、赤色光を発する赤色ＬＥＤ（Ｒ−ＬＥＤ）、緑色光を発する緑色ＬＥＤ（Ｇ−ＬＥＤ）、及び、青色光を発する青色ＬＥＤ（Ｂ−ＬＥＤ）を含む。ＬＥＤを駆動して画像表示を行うことにより、発光部の消費電力を低減することができる。また、有色ＬＥＤを駆動して画像表示を行うことにより、表示画像（画面に表示された画像）の色域を高めることができる。
【００２３】
また、発光部は、第１画像と第２画像を画面に表示する際に、画面の領域のうち、少なくとも第１画像が表示される領域を含む領域で第１の光を発し、少なくとも第２画像が表示される領域を含む領域で第１の光よりも発光スペクトル分布が広い第２の光を発する。具体的には、発光部は、第２光源を有し、第２光源を駆動することにより第２の光を発する。本実施例では、第２光源は、発光素子として、白色光を発する冷陰極管素子（冷陰極蛍光管；ＣＣＦＬ（Ｃｏｌｄ  Ｃａｔｈｏｄｅ  Ｆｌｕｒｅｓｃｅｎｔ  Ｌａｍｐ）を有
する。冷陰極管素子を駆動して画像表示を行うことにより、第２画像として、ユーザ間での知覚色のずれ量が小さい画像を表示することができ、個人視覚特性を測定するための基準として第２画像を使用することが可能となる。
【００２４】
なお、本実施例では、Ｒ−ＬＥＤ、Ｒ−ＬＥＤ、及び、Ｒ−ＬＥＤを駆動することにより第１の光が発せられ、冷陰極管素子を駆動することにより第２の光が発せられる例を説明するが、第１の光と第２の光はこれに限らない。第２の光として、第１の光よりも発光スペクトル分布が広い光が得られれば、どのような光源や発光素子を用いて第１の光と第２の光が実現されてもよい。
【００２５】
以下、図面を用いて、本実施例について詳しく説明する。
なお、以下では、本実施例に係る表示装置が、透過型の液晶表示装置である場合の例を説明するが、本実施例に係る表示装置はこれに限らない。本実施例に係る表示装置は、発光部から発せられた光を変調することで画面に画像を表示する表示装置であればよい。例えば、本実施例に係る表示装置は、反射型の液晶表示装置であってもよい。また、本実施例に係る表示装置は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式ディスプレイであってもよい。
【００２６】
本実施例に係る表示装置を用いた個人視覚特性の測定方法について、図４を用いて大まかに説明する。
符号４０１は、本実施例に係る表示装置（モニタ）を示す。個人視覚特性を測定するときに、モニタ４０１は、基準パッチ４０２（第２画像）と測定パッチ４０３（第１画像）を表示する。
符号４０５は、個人視覚特性の測定対象者である。測定対象者４０５は、モニタ４０１に表示された基準パッチ４０２と測定パッチ４０３を比較する。図４の例では、色が互いに異なる５つの測定パッチ４０３が表示されており、ユーザは、５つの測定パッチ４０３の中から、基準パッチ４０２に最も近いと感じるパッチ画像を選択する。パッチ画像は、例えば、ユーザがリモコンなどの入力デバイス４０４を操作することにより選択される。そして、モニタは、ユーザによる選択結果に基づいて、個人視覚特性を算出する。
【００２７】
なお、図４の例では、５つの測定パッチ４０３が表示されているが、測定パッチ４０３の数は５つより多くても少なくてもよい。例えば、３つの測定パッチが表示され、３つの測定パッチのうちの１つが選択されてもよいし、１０個の測定パッチが表示され、１０個の１０個の測定パッチのうちの１つが選択されてもよい。
なお、図４の例では、比較を容易にするために、同じ色の５つの基準パッチ４０２が、色が互いに異なる５つの測定パッチに対応付けて表示されているが、基準パッチ４０２として１つのパッチ画像のみが表示されてもよい。
なお、個人視覚特性の測定方法は上記方法に限らない。例えば、ユーザによって第２画像の色が第１画像の色と一致するように調整され、調整結果に基づいて個人視覚特性が算出されてもよい。
【００２８】
本実施例に係る表示装置の構成について図５を用いて説明する。図５は、本実施例に係る表示装置５００の構成の一例を示すブロック図である。
【００２９】
画像入力部５０２は、外部装置（画像生成装置）から出力された画像データを、通常画像データとして取得する。なお、画像入力部５０２は、表示装置５００の内部に設けられた記録媒体（例えば記憶部５１１）から通常画像データを取得してもよい。
画像入力部５０２は、取得した通常画像データを表示制御部５０３へ出力する。
【００３０】
表示制御部５０３は、画像入力部５０２から出力された通常画像データを取得し、表示部５０４へ出力する表示画像データを生成する。
表示制御部５０３は、必要に応じて、通常画像データを画質調整部５１３へ出力し、画質調整部５１３に通常画像データに対する画質調整処理を行わせる。ここで、画質調整部５１３に出力される通常画像データは、画像入力部５０２から出力された通常画像データ、または、後述する合成処理が施された通常画像データである。画質調整部５１３では、例えば、画質調整処理として、発光部（後述するバックライトユニット）の目標輝度に基づいて発光部の目標輝度の変化による表示画像の輝度の変化を抑制する抑制処理が、通常画像データに施される。
また、表示制御部５０３は、必要に応じて、ＧＵＩ画像データやパッチ画像データを通常画像データ（画像入力部５０２から出力された通常画像データ、または、画質調整処理が施された通常画像データ）と合成する合成処理を行う。ＧＵＩ画像データは、ＧＵＩ（Ｇｒａｐｈｉｃａｌ  Ｕｓｅｒ  Ｉｎｔｅｒｆａｃｅ）制御部５１４で生成され、パッチ画像データは、パッチ表示部５２４で生成される。
表示制御部５０３は、必要に応じて画質調整処理や合成処理が施された通常画像データを、表示画像データを、表示部５０４へ出力する。画質調整処理や合成処理を施す必要が無い場合には、通常画像データが表示画像データとして出力される。
【００３１】
表示部５０４は、表示制御部５０３から出力された表示画像データを画面に表示する。具体的には、表示部５０４は、複数の液晶素子を有する液晶パネルであり、表示画像データに応じて各液晶素子の透過率を制御する。そして、発光部（後述するバックライトユニット）からの光が各液晶素子を透過することにより、画面に画像が表示される。
【００３２】
画質調整部５１３では、画質調整処理の他に、通常画像データに基づいて発光部（後述するバックライトユニット）の目標輝度を決定する処理も行われる。例えば、通常画像データの明るさが明るい場合に暗い場合に比べて目標輝度が高くなるように、目標輝度が決定される。なお、通常画像データの明るさが明るい領域で暗い領域に比べて目標輝度が高くなるように、領域毎に目標輝度が決定されてもよい。
目標輝度は、例えば、通常画像データの特徴量と、目標輝度との対応関係を示す情報（関数やテーブル）を用いて決定される。特徴量は、例えば、画素値の代表値（最大値、最小値、最頻値、中間値、平均値、など）やヒストグラム、輝度値の代表値やヒストグラムである。
【００３３】
バックライト制御部５０５は、バックライトユニットの発光を制御する（発光制御）。具体的には、バックライト制御部５０５は、画質調整部５１３で決定された目標輝度でバックライトユニットを発光させる。バックライトユニットは、表示部５０４の背面に光を照射する発光部であり、直下型ＲＧＢ−ＬＥＤバックライト５０６（第１光源）とＣＣＦＬバックライト５０７（第２光源）を有する。バックライト制御部５０５は、個人視覚特性制御部５２１からの要求に応じて直下型ＲＧＢ−ＬＥＤバックライト５０６とＣＣＦＬバックライト５０７の発光状態を切り替える発光切替処理を行う。
【００３４】
インターフェース部５１６は、リモコンや本体ボタン等の入力デバイス５１５を用いて行われたユーザ操作を示す操作信号を取得する。インターフェース部５１６は、取得した操作信号を、その操作信号に対応する機能部に出力する。例えば、ＧＵＩ画像を表示するユーザ操作が行われた場合には、操作信号（またはＧＵＩ画像の生成指示）がＧＵＩ制御部５１４に出力される。
【００３５】
ＧＵＩ制御部５１４は、インターフェース部５１６から出力された操作信号に基づいて、ＧＵＩ画像データを生成する。ＧＵＩ画像データに必要な素材データ等は記憶部５１１に予め記録されており、記憶部５１１に記録されている素材データ等を用いてＧＵＩ画像
データが生成される。
ＧＵＩ制御部５１４は、生成したＧＵＩ画像データを表示制御部５０３に出力する。
【００３６】
記憶部５１１は、表示装置５００で使用する画像データ、設定値データなどを記憶する。また、記憶部５１１は、個人視覚特性制御部５２１から出力された個人視覚特性データも記憶する。
【００３７】
個人視覚特性制御部５２１は、個人視覚特性取得部５２２と個人視覚特性反映部５２３を有する。
【００３８】
個人視覚特性取得部５２２は、ユーザ操作に応じて、個人視覚特性を測定するための各種制御を行う。例えば、個人視覚特性取得部５２２は、個人視覚特性を測定するために、測定パッチ（第１画像）と基準パッチ（第２画像）を表示させる表示制御を行う。具体的には、個人視覚特性取得部５２２は、パッチ表示部５２４に対し、測定パッチおよび基準パッチのパッチ色、サイズ、表示位置などを設定し、パッチ画像データ（測定パッチと基準パッチの画像データ）の生成を指示する。その結果、パッチ表示部５２４によってパッチ画像データが生成され、表示制御部５０３によってパッチ画像データと通常画像データが合成され、測定パッチと基準パッチが表示される。
また、個人視覚特性取得部５２２は、ユーザ操作に応じて、画面に表示された測定パッチと基準パッチの、ユーザによる知覚結果を取得する。具体的には、個人視覚特性取得部５２２は、ユーザによって選択された測定パッチを示す選択情報を取得する。そして、個人視覚特性取得部５２２は、取得した測定結果に基づいて個人視覚特性を算出し、算出した個人視覚特性を示す個人視覚特性データを記憶部５１１に記録する。
なお、表示制御と、知覚結果の取得とは、互いに異なる機能部によって行われてもよい。
【００３９】
個人視覚特性反映部５２３は、個人視覚特性取得部５２２で取得（算出）された個人視覚特性を表示装置５００の画質に反映させる。具体的には、個人視覚特性反映部５２３は、モニタの画質に関するパラメータ（画質パラメータ）を、個人視覚特性に基づいて補正する。本実施例では、画質調整処理で使用されるパラメータを補正する補正値が個人視覚特性に基づいて決定され、決定された補正値が画質調整部５１３へ出力される。それにより、画質調整部５１３では、上記補正値でパラメータが補正され、補正されたパラメータを用いて画質調整処理が行われる。その結果、個人視覚特性を反映した画質で画像表示を行うことが可能となる。
【００４０】
システム制御部５１２は、表示装置５００が有する各機能部を統括的に制御する。
【００４１】
本実施例に係る発光部（バックライトユニット）の構造について、図６を用いて説明する。図６には、本実施例に係るバックライトユニットの構造を示す正面図と断面図（側面図）が示されている。
本実施例では、バックライトユニットは、画面（発光面）の領域のうちの一部の領域で第１の光と第２の光を切り替えて発光可能に構成されている。
【００４２】
上述したように、バックライトユニットは、直下型ＲＧＢ−ＬＥＤバックライト５０６とＣＣＦＬバックライト５０７を有する。
ＣＣＦＬバックライト５０７は、ＣＣＦＬ６０１と導光板６０５を有するエッジライト方式のバックライトである。
直下型ＲＧＢ−ＬＥＤバックライト５０６は、複数のＲ−ＬＥＤ６０２、複数のＧ−ＬＥＤ６０３、及び、複数のＢ−ＬＥＤ６０４を有する直下型のバックライトである。
【００４３】
ＣＣＦＬ６０１は、画面上端に配置されている。そして、ＣＣＦＬ６０１からの光は、導光板６０５の入射面（ＣＣＦＬ６０１が設けられている側の面）から導光板６０５内に入射され、表面反射を繰り返し、導光板６０５の出射面から導光板６０５外に出射される。導光板６０５内に入射された光は、例えば、反射シート６０６で反射したり散乱したりする。
導光板６０５は、画面上部の領域である標準発光領域と出射面の領域とが一致するように配置されている。
ＣＣＦＬ６０１は導光板６０５に固定されており、導光板６０５は基板６０７に固定されている。
なお、ＣＣＦＬ６０１と導光板６０５の入射面の位置は画面上端に限らない。また、導光板６０５の出射面の位置は画面上部に限らない。例えば、画面の中心部分に出射面が位置し、画面の領域内にＣＣＦＬ６０１と導光板６０５の入射面が位置するように、ＣＣＦＬ６０１と導光板６０５が配置されていてもよい。
【００４４】
複数のＲ−ＬＥＤ６０２、複数のＧ−ＬＥＤ６０３、及び、複数のＢ−ＬＥＤ６０４は、ＬＥＤ間の間隔が略一定となるように、画面の領域（通常発光領域）全体に渡って配置されている。複数のＲ−ＬＥＤ６０２、複数のＧ−ＬＥＤ６０３、及び、複数のＢ−ＬＥＤ６０４は、基板６０７に固定されている。
【００４５】
複数のＲ−ＬＥＤ６０２、複数のＧ−ＬＥＤ６０３、及び、複数のＢ−ＬＥＤ６０４から発せられた光は、拡散シート６０８により拡散される。その結果、直下型ＲＧＢ−ＬＥＤバックライト５０６からは、画面全体で輝度ムラの無い光が発せられる。同様に、導光板６０５の出射面から出射された光は、拡散シート６０８により拡散される。その結果、ＣＣＦＬバックライト５０７からは、標準発光領域内で輝度ムラの無い光が発せられる。
【００４６】
以上のような構成のバックライトを用いることにより、標準発光領域ではユーザ間での知覚色のずれ量が小さい光を発する光源（標準光源；ＣＣＦＬバックライト５０７）を用いた画像表示を行うことが可能となる。そして、本実施例では、基準パッチを標準発光領域に表示することにより、基準パッチを個人視覚特性の測定の基準として用いることが可能となり、個人視覚特性を高精度に測定することが可能となる。
【００４７】
本実施例に係る表示装置５００の処理の流れの一例について図７を用いて説明する。
【００４８】
Ｓ７０１において、表示装置５００は、個人視覚特性の測定を開始するユーザ操作に応じて、発光切替処理を行う。
【００４９】
図８を用いて、発光切替処理について詳しく説明する。
符号８０１は、画像編集作業時やデータ変換作業時など、モニタの通常使用時におけるバックライトユニットの発光状態を示す。通常使用時には、画面の領域（通常発光領域）全体で直下型ＲＧＢ−ＬＥＤバックライトが点灯して、画像表示が行われる。このとき、ＣＣＦＬバックライトは消灯する。
符号８０２は、個人視覚特性測定時におけるバックライトユニットの発光状態を示す。個人視覚特性測定時には、標準発光領域で、ＣＣＦＬバックライトが点灯し、直下型ＲＧＢ−ＬＥＤバックライトが消灯する。そして、残りの領域（通常発光領域から標準発光領域を除いた領域）で、直下型ＲＧＢ−ＬＥＤバックライトが点灯する。そのような発光状態で画像表示が行われる。
【００５０】
Ｓ７０１では、上述した通常使用時における発光状態から、個人視覚特性測定時における発光状態へ、バックライトユニットの発光状態が切り替えられる。発光切替処理は、個人視覚特性の測定を開始するユーザ操作によって表示装置５００の動作モードが通常使用
モードから測定モードへ移行するタイミングで行われる。発光切替処理では、個人視覚特性取得部５２２が、バックライト制御部５０５に対して発光切替指示を行う。そして、バックライト制御部５０５が、発光切替指示に応じて、直下型ＲＧＢ−ＬＥＤバックライト５０６とＣＣＦＬバックライト５０７の発光を制御する。
【００５１】
図９を用いて、Ｓ７０１の発光切替処理の流れの一例について説明する。
【００５２】
Ｓ１７０１において、個人視覚特性取得部５２２が、バックライト制御部５０５に対して、直下型ＲＧＢ−ＬＥＤバックライトの標準発光領域部分を消灯させるＯＦＦ指示を行う。バックライト制御部５０５は、上記ＯＦＦ指示に応じて、直下型ＲＧＢ−ＬＥＤバックライトの標準発光領域部分を消灯させる。換言すれば、バックライト制御部５０５は、直下型ＲＧＢ−ＬＥＤバックライトの標準発光領域部分における発光状態をＯＮ状態（点灯状態）からＯＦＦ状態（消灯状態）に切り替える。
【００５３】
Ｓ１７０２において、個人視覚特性取得部５２２が、個人視覚特性測定時におけるバックライトユニットの目標輝度（測定用目標輝度）を示す目標輝度データを記憶部５１１から取得する。Ｓ１７０２で取得された目標輝度データは、個人視覚特性測定時に画面の領域全体に渡って設定すべき目標輝度（測定用目標輝度）を示すデータである。測定用目標輝度は、予め定められた固定値であってもよいし、そうでなくてもよい。例えば、測定用目標輝度の値は、ユーザ操作に応じて設定されたり変更されたりしてもよい。
【００５４】
Ｓ１７０３において、個人視覚特性取得部５２２が、バックライト制御部５０５に対して、ＣＣＦＬバックライト（の標準発光領域部分）を点灯させるＯＮ指示を行う。バックライト制御部５０５は、上記ＯＮ指示に応じて、ＣＣＦＬバックライトの発光状態をＯＦＦ状態からＯＮ状態に切り替える。また、バックライト制御部５０５は、Ｓ１７０２で取得された目標輝度データで示される測定用目標輝度と一致するように、ＣＣＦＬバックライトの発光輝度を調整する。
【００５５】
Ｓ１７０４において、個人視覚特性取得部５２２が、現在点灯している直下型ＲＧＢ−ＬＥＤバックライトの発光輝度を示す発光輝度データを取得する。即ち、直下型ＲＧＢ−ＬＥＤバックライトの通常発光領域部分における発光輝度を示す発光輝度データが取得される。発光輝度データは、例えば、バックライトユニットに設けられた輝度センサの検出値から算出される。
【００５６】
Ｓ１７０５において、個人視覚特性取得部５２２が、Ｓ１７０４で取得された発光輝度データを記憶部５１１に記録する。記録された発光輝度データは、個人視覚特性の測定が終了するときに、バックライトユニットの目標輝度を示すデータとして使用される。それにより、個人視覚特性前後で通常表示時における表示輝度を一致させることができる。
【００５７】
Ｓ１７０６において、個人視覚特性取得部５２２が、Ｓ１７０２で取得された目標輝度データと、Ｓ１７０４で取得された発光輝度データとを比較する。発光輝度データで示された発光輝度の値が目標輝度データで示された測定用目標輝度の値と同じである場合には、処理が終了される。発光輝度データで示された発光輝度の値が目標輝度データで示された測定用目標輝度の値と異なる場合には、Ｓ１７０７に処理が進められる。即ち、直下型ＲＧＢ−ＬＥＤバックライトの通常発光領域部分が測定用目標輝度と同じ発光輝度で発光している場合には処理が終了され、そうでない場合にはＳ１７０７に処理が進められる。
【００５８】
Ｓ１７０７において、個人視覚特性取得部５２２が、バックライト制御部５０５に対して、直下型ＲＧＢ−ＬＥＤバックライトの通常発光領域部分における発光輝度を調整する調整指示を行う。ここでは、直下型ＲＧＢ−ＬＥＤバックライトの通常発光領域部分にお
ける発光輝度が測定用目標輝度に一致するように調整指示が行われる。バックライト制御部５０５は、上記調整指示に応じて、直下型ＲＧＢ−ＬＥＤバックライトの通常発光領域部分における発光輝度が測定用目標輝度に一致するように、直下型ＲＧＢ−ＬＥＤバックライトの通常発光領域部分における発光輝度を調整する。
【００５９】
なお、本実施例では、直下型ＲＧＢ−ＬＥＤバックライトの通常発光領域部分における発光輝度を測定用目標輝度に一致するように調整する例を説明したが、発光輝度の調整方法はこれに限らない。例えば、直下型ＲＧＢ−ＬＥＤバックライトの通常発光領域部分における発光輝度と一致するように、ＣＣＦＬバックライトの発光輝度が調整されてもよい。
【００６０】
図７の説明に戻る。
【００６１】
Ｓ７０２において、表示装置５００は、個人視覚特性の測定の基準となる基準パッチを表示する必要があるか否かを判断する。具体的には、個人視覚特性取得部５２２が、予め用意されている全ての基準パッチの表示が完了しているか否かを判断する。そして、全ての基準パッチの表示が完了している場合には、個人視覚特性取得部５２２が基準パッチを表示する必要はないと判断し、Ｓ７０７へ処理が進められる。まだ表示されていない基準パッチが存在する場合には、個人視覚特性取得部５２２が基準パッチを表示する必要があると判断し、Ｓ７０３へ処理が進められる。全ての基準パッチの表示が完了しているか否かの判断は、個人視覚特性取得部５２２が、基準パッチ情報を記憶部５１１から取得し、表示済み情報と基準パッチ情報を比較することにより行われる。基準パッチ情報は、予め用意された複数の基準パッチを示す情報であり、表示済み情報は、既に表示された基準パッチを示す情報である。個人視覚特性取得部５２２は、表示済み情報を予め有しており、基準パッチの表示が行われる度に表示済み情報を更新する。基準パッチ情報は、記憶部５１１に予め記録されている。
【００６２】
Ｓ７０３において、表示装置５００は、基準パッチを表示する。基準パッチは、ＣＣＦＬバックライトが点灯している領域である標準発光領域に表示される。表示対象の基準パッチの色、サイズ、位置などは、個人視覚特性取得部５２２によって決定される。具体的には、予め用意された複数の基準パッチのうち、まだ表示されていない基準パッチの色が、表示する基準パッチの色として決定される。また、表示対象の基準パッチの位置やサイズは、ユーザが基準パッチと測定パッチを比較しやすいように決定される。その結果、例えば、図４に示されているように、標準発光領域外に表示される複数の測定パッチに近い位置に、見やすいサイズの複数の基準パッチ（同じサイズ且つ同じ色の複数の基準パッチ）が表示される。基準パッチの表示処理は、個人視覚特性取得部５２２がパッチ表示部５２４に対して表示要求（基準パッチのパッチ画像データを生成する指示）を行うことにより実現される。
【００６３】
Ｓ７０４において、表示装置５００は、個人視覚特性の測定でユーザに選択させる複数の測定パッチを表示する必要があるか否かを判断する。測定パッチを表示する必要があるか否かの判断は、過去に表示された基準パッチに対してユーザがどのような測定パッチを選択したかを示す測定結果情報に基づいて行われる。表示された基準パッチの色についての個人視覚特性を測定結果情報に基づいて算出することができる場合には、測定パッチを表示する必要はないと判断され、Ｓ７０２へ処理が戻される。表示された基準パッチの色についての個人視覚特性を測定結果情報に基づいて算出することができない場合には、測定パッチを表示する必要があると判断され、Ｓ７０５へ処理が進められる。測定パッチを表示する必要があるか否かの判断は、個人視覚特性取得部５２２によって行われる。具体的には、個人視覚特性取得部５２２が、過去に表示された基準パッチに対してユーザが選択した測定パッチを示す情報を蓄積し、蓄積した情報を用いてユーザの選択結果を解析す
る。そして、個人視覚特性取得部５２２は、解析結果に基づいて、測定パッチを表示する必要があるか否かの判断を判断する。
【００６４】
Ｓ７０５において、表示装置５００は、測定パッチを表示する。測定パッチは、直下型ＲＧＢ−ＬＥＤバックライトが点灯している領域（通常発光領域から標準発光領域を除いた領域）に表示される。表示対象の測定パッチの色、サイズ、位置などは、個人視覚特性取得部５２２によって決定される。本実施例では、図４に示すように、サイズが同じで色が異なる複数の測定パッチが表示される。測定パッチの表示処理は、個人視覚特性取得部５２２がパッチ表示部５２４に対して表示要求（測定パッチのパッチ画像データを生成する指示）を行うことにより実現される。
【００６５】
Ｓ７０６において、表示装置５００は、ユーザによる測定パッチの選択結果を取得する。ユーザは、Ｓ７０３で表示された基準パッチと、Ｓ７０５で表示された互いに色が異なる複数の測定パッチとを比較する。そして、ユーザは、表示された複数の測定パッチの中から、表示された基準パッチに一番近いと感じる測定パッチを選択する。測定パッチの選択は、リモコン、本体ボタンなどの入力デバイスを用いて行われる。選択された測定パッチを示す選択情報（選択結果）は、インターフェース部５１６を経由して、個人視覚特性取得部５２２によって取得される。取得された選択情報は測定結果情報として記録（蓄積）される。測定パッチが選択された後、Ｓ７０２へ処理が戻される。
【００６６】
そして、Ｓ７０２において基準パッチを表示する必要がないと判断されるまで、Ｓ７０２〜Ｓ７０６の処理が繰り返し行われる。Ｓ７０２において基準パッチを表示する必要がないと判断されるとＳ７０７に処理が進められる。
【００６７】
Ｓ７０７において、表示装置５００は、個人視覚特性の測定の終了に伴う発光切替処理を行う。Ｓ７０７では、図８に示す個人視覚特性測定時における発光状態から、通常使用時における発光状態へ、バックライトの発光状態が切り替えられる。Ｓ７０７では、Ｓ７０６までの処理が完了し、表示装置５００が動作モードが測定モードから通常使用モードへ移行するタイミングで発光切替処理が行われる。Ｓ７０７では、個人視覚特性取得部５２２がバックライト制御部５０５に対して発光切替指示を行う。そして、バックライト制御部５０５が、発光切替指示に応じて、直下型ＲＧＢ−ＬＥＤバックライト５０６とＣＣＦＬバックライト５０７の発光を制御する。具体的には、バックライト制御部５０５は、点灯していたＣＣＦＬバックライトを消灯させ、画面の領域全体に渡って直下型ＲＧＢ−ＬＥＤバックライトを点灯させる。そして、そのような発光状態で画像表示が行われる。
【００６８】
図１０を用いて、Ｓ７０７の発光切替処理の流れの一例について説明する。
【００６９】
Ｓ１８０１において、個人視覚特性取得部５２２が、バックライト制御部５０５に対して、ＣＣＦＬバックライト（の標準発光領域部分）を消灯させるＯＦＦ指示を行う。バックライト制御部５０５は、上記ＯＦＦ指示に応じて、ＣＣＦＬバックライトの発光状態をＯＮ状態からＯＦＦ状態に切り替える。
【００７０】
Ｓ１８０２において、個人視覚特性取得部５２２が、バックライト制御部５０５に対して、直下型ＲＧＢ−ＬＥＤバックライトの標準発光領域部分を点灯させるＯＮ指示を行う。バックライト制御部５０５は、上記ＯＮ指示に応じて、直下型ＲＧＢ−ＬＥＤバックライトの標準発光領域部分の発光状態をＯＦＦ状態からＯＮ状態に切り替える。
【００７１】
Ｓ１８０３において、個人視覚特性取得部５２２が、Ｓ７０１の発光切替処理において記憶部５１１に記録した発光輝度データ（測定前の直下型ＲＧＢ−ＬＥＤバックライトの発光輝度を示すデータ）を取得する。
【００７２】
Ｓ１８０４において、個人視覚特性取得部５２２が、バックライト制御部５０５に対して、直下型ＲＧＢ−ＬＥＤバックライトの発光輝度を調整する調整指示を行う。ここでは、画面全体に渡って直下型ＲＧＢ−ＬＥＤバックライトの発光輝度がＳ１８０３で取得された発光輝度データの値と一致するように調整指示が行われる。バックライト制御部５０５は、上記調整指示に応じて、画面全体に渡って直下型ＲＧＢ−ＬＥＤバックライトの発光輝度がＳ１８０３で取得された発光輝度データの値と一致するように、直下型ＲＧＢ−ＬＥＤバックライトの発光輝度を調整する。
【００７３】
図７の説明に戻る。
【００７４】
Ｓ７０８において、表示装置５００は、個人視覚特性を算出する。個人視覚特性は、Ｓ７０２〜Ｓ７０６により取得した、測定結果情報に基づいて算出される。具体的には、個人視覚特性取得部５２２が、測定結果情報に基づいて、基準パッチ毎に、その基準パッチの色（画像データの値）と、当該基準パッチに対してユーザが選択した測定パッチの色との差分データを算出する。そして、個人視覚特性取得部５２２は、測定結果情報と、上記算出した差分データとに基づいて、基準パッチの色以外の色についての差分データを算出する。これにより、表示装置５００で表示可能なすべての色についての個人視覚特性が取得される。取得された個人視覚特性を示す個人視覚特性情報は、記憶部５１１へ記録される。
【００７５】
Ｓ７０９において、表示装置５００は、Ｓ７０８で取得（算出）された個人視覚特性を表示装置５００の画質に反映させる。具体的には、個人視覚特性反映部５２３が、Ｓ７０８で取得（算出）された個人視覚特性情報を記憶部５１１から取得する。そして、個人視覚特性反映部５２３は、取得した個人視覚特性情報に基づいて色変換用ルックアップテーブルを作成し、記憶部５１１へ記録する。その後、画質調整部５１３が、記憶部５１１から上記記録された色変換用ルックアップテーブルを取得し、色変換処理（画質調整処理）を実行する。色変換処理が施された画像が表示されることにより、Ｓ７０８で取得（算出）された個人視覚特性が表示装置５００の画質に反映される。
なお、個人視覚特性が測定されたユーザ（測定済みユーザ）が表示装置５００を使用する場合には、個人視覚特性の測定が省略され、前回取得された個人視覚特性情報に基づいて色変換用ルックアップテーブルが生成されて使用されてもよい。また、測定済みユーザが表示装置５００を使用する場合に、ルックアップテーブルの生成も省略され、前回生成されたルックアップテーブルが使用されてもよい。
また、前回の測定日時が現時刻から所定時間以上前である場合には、個人視覚特性が変化している可能性が高いため、再度測定が行われてもよい。
【００７６】
本実施例の効果について図１１を用いて説明する。
図１１に示すように、直下型ＲＧＢ−ＬＥＤバックライトの分光特性の波形は、特定の波長で鋭いピークを有する。そのため、直下型ＲＧＢ−ＬＥＤバックライトのみを用いたモニタでは、ユーザ間の知覚色のずれが大きい画像しか表示することができず、個人視覚特性の測定の基準とすることのできる画像を表示することはできない。
本実施例では、通常表示時に使用される第１光源（直下型ＲＧＢ−ＬＥＤバックライト）の他に、第２光源（ＣＣＦＬバックライト）が使用される。第２光源からの光は、図１１に示すように、分光波形の形状が比較的ブロードな分光特性を有するため、ユーザ間の知覚色のずれは小さく、視野の変化による知覚色の変化も小さい。そのため、第２光源からの光を利用して表示された画像は、ユーザ間の知覚色のずれが小さい。具体的には、第２光源からの光を利用することにより、従来の標準環境光である高演色性のＤ５０蛍光灯下で印刷物を観察したときと同様の知覚色で表示画像を観察することができる。そのため、第２光源からの光を利用して表示された画像は個人視覚特性の測定の基準として用いる
ことができる。そして、第２光源からの光を利用して表示された画像は個人視覚特性の測定の基準として用いることにより、環境光に依らず個人視覚特性を高精度に取得することができる。
【００７７】
以上述べたように、本実施例によれば、ユーザの個人視覚特性を測定する際に、画面の領域のうち、少なくとも測定パッチ（第１画像）が表示される領域を含む領域では、バックライトユニットから第１の光が発せられて、第１画像が表示される。そして、画面の領域のうち、少なくとも基準パッチ（第２画像）が表示される領域を含む領域では、バックライトユニットから第１の光よりも発光スペクトル分布が広い第２の光が発せられて、第２画像が表示される。それにより、基準パッチとしてユーザ間の知覚色のずれが小さい画像を表示することができ、基準パッチを個人視覚特性の測定の基準として用いることができる。その結果、個人視覚特性を高精度に測定することができる。
【００７８】
なお、本実施例では、画面の一部の領域（所定の領域）でのみ、第１の光と第２の光を切り替えて発光することができる場合の例を説明したが、バックライトユニットの構成はこれに限らない。例えば、画面の領域全体で上記光の切り替えが可能であってもよい。その場合には、第１画像や第２画像を表示する領域は特に限定されず、第１画像が表示される領域で第１の光が発せられ、第２画像が表示される領域で第２の光が発せられればよい。
【００７９】
なお、本実施例では、第２光源のみを駆動して発せられた光を第２の光として用いる例を説明したが、これに限らない。第１光源と第２光源の両方を駆動して発せられた光が第２の光として用いられてもよい。即ち、標準発光領域において、直下型ＲＧＢ−ＬＥＤバックライトとＣＣＦＬバックライトの両方が点灯され、そのような発光状態で標準発光領域内に基準パッチが表示されてもよい。直下型ＲＧＢ−ＬＥＤバックライトからの光とＣＣＦＬバックライトからの光とが合成された合成光は、直下型ＲＧＢ−ＬＥＤバックライトからの光に比べて発光スペクトル分布が広い分光特性を有する。そのため、上記合成光を利用することにより、直下型ＲＧＢ−ＬＥＤバックライトからの光を利用して表示された画像に比べて、ユーザ間の知覚色のずれが小さい画像を表示することができる。そして、上記合成光を利用して表示された画像を個人視覚特性の測定の基準として用いることにより、個人視覚特性を高精度に測定することができる。但し、ＣＣＦＬバックライトからの光の発光スペクトル分布の方が、上記合成光の発光スペクトル分布に比べて広い分光特性を有する。そのため、ＣＣＦＬバックライトからの光を用いたほうが、上記合成光を用いた場合に比べて、ユーザ間の知覚色のずれがより小さい画像表示を実現できる。
【００８０】
＜実施例２＞
本発明の実施例２に係る表示装置及びその制御方法について説明する。
実施例１では、第２光源として、ＣＣＦＬを有するエッジライト方式のバックライトを用いる例を説明した。本実施例では、第２光源として、第１光源が有する有色ＬＥＤが発する光の波長と異なる波長の光を発する複数の有色ＬＥＤを有する直下型のバックライトを用いる例を説明する。
なお、本実施例では、第１光源として、実施例１と同様に、複数の有色ＬＥＤを有する直下型のバックライトが使用される。具体的には、第１光源として、Ｒ−ＬＥＤ、Ｇ−ＬＥＤ、及び、Ｂ−ＬＥＤを有する直下型ＲＧＢ−ＬＥＤバックライトが使用される。
【００８１】
本実施例に係る表示装置の構成について図１２を用いて説明する。図１２は、本実施例に係る表示装置１０００の構成の一例を示すブロック図である。なお、実施例１（図５）と同じ機能部には同じ符号を付し、その説明は省略する。
図１２に示すように、本実施例では、バックライトユニットは、ＣＣＦＬバックライト５０７の代わりに、直下型ＹＺ−ＬＥＤバックライト１００１を有する。
【００８２】
本実施例に係る発光部（バックライトユニット）の構造について、図１３を用いて説明する。図１３には、本実施例に係るバックライトユニットの構造を示す正面図が示されている。本実施例では、バックライトユニットは、画面の領域のうちの一部の領域で第１の光と第２の光を切り替えて発光可能に構成されている。
【００８３】
上述したように、バックライトユニットは、直下型ＲＧＢ−ＬＥＤバックライト５０６（第１光源）と、直下型ＹＺ−ＲＧＢバックライト１００１（第２光源）とを有する。
直下型ＲＧＢ−ＬＥＤバックライトは、実施例１と同様の構成を有する。具体的には、直下型ＲＧＢ−ＬＥＤバックライトは、複数のＲ−ＬＥＤ１２０３、複数のＧ−ＬＥＤ１２０４、及び、複数のＢ−ＬＥＤ１２０５を有する直下型ＲＧＢ−ＬＥＤバックライトである。
直下型ＹＺ−ＬＥＤバックライト１００１は、複数のＹ−ＬＥＤ１２０１と、複数のＺ−ＬＥＤ１２０２とを有する直下型のバックライトである。Ｙ−ＬＥＤは、Ｒ−ＬＥＤが発する光の波長と、Ｇ−ＬＥＤが発する光の波長との間の波長の光を発する有色ＬＥＤである。換言すれば、Ｙ−ＬＥＤは、Ｒ−ＬＥＤの分光特性とＧ−ＬＥＤの分光特性の間の分光特性を有する有色ＬＥＤである。Ｚ−ＬＥＤは、Ｇ−ＬＥＤが発する光の波長と、Ｂ−ＬＥＤが発する光の波長との間の波長の光を発する有色ＬＥＤである。換言すれば、Ｙ−ＬＥＤは、Ｇ−ＬＥＤの分光特性とＢ−ＬＥＤの分光特性の間の分光特性を有する有色ＬＥＤである。
【００８４】
複数のＲ−ＬＥＤ１２０３、複数のＧ−ＬＥＤ１２０４、及び、複数のＢ−ＬＥＤ１２０５の配置は、実施例１と同様である。即ち、複数のＲ−ＬＥＤ１２０３、複数のＧ−ＬＥＤ１２０４、及び、複数のＢ−ＬＥＤ１２０５は、ＬＥＤ間の間隔が略一定となるように、画面の領域（通常発光領域）全体に渡って配置されている。
【００８５】
複数のＹ−ＬＥＤ１２０１、複数のＺ−ＬＥＤ１２０２は、ＬＥＤ間の間隔が略一定となるように、標準発光領域全体に渡って配置されている。
【００８６】
以上のような構成のバックライトユニットを用いることにより、標準発光領域ではユーザ間での知覚色のずれ量が小さいバックライト光（バックライトユニットからの光）を用いた画像表示を行うことが可能となる。そして、本実施例では、基準パッチを標準発光領域に表示することにより、基準パッチを個人視覚特性の測定の基準として用いることが可能となり、個人視覚特性を高精度に測定することが可能となる。標準発光領域でユーザ間での知覚色のずれ量が小さいバックライト光が得られる理由については後述する。
【００８７】
なお、第２光源が有する有色ＬＥＤは、上述したＹ−ＬＥＤとＺ−ＬＥＤに限らない。第１光源が有する有色ＬＥＤが発する光の波長と異なる波長の光を発するＬＥＤであれば、どのようなＬＥＤであってもよい。
【００８８】
標準発光領域でユーザ間での知覚色のずれ量が小さいバックライト光を得るための方法について図１４を用いて説明する。図１４は、各発光素子から発せられる光の分光特性を示す図である。
【００８９】
図１４に示すように、Ｒ−ＬＥＤの分光特性１３０１、Ｇ−ＬＥＤの分光特性１３０２、及び、Ｂ−ＬＥＤの分光特性１３０３は、それぞれ、特定の波長にピークを有する。
そのため、直下型ＲＧＢ−ＬＥＤバックライトからは特定の波長に鋭いピークを有する光が発せられる。このような光を用いて画像表示を行った場合、ユーザ間で知覚色が大きくずれることになる。本実施例では、実施例１と同様に、直下型ＲＧＢ−ＬＥＤバックライトからの光が第１の光として用いられる。
【００９０】
Ｙ−ＬＥＤの分光特性１３０４は、Ｒ−ＬＥＤの分光特性１３０１と、Ｇ−ＬＥＤの分光特性１３０２との隙間を埋めるような特性を有する。具体的には、Ｙ−ＬＥＤの分光特性１３０４は、Ｒ−ＬＥＤの分光特性１３０１のピークと、Ｇ−ＬＥＤの分光特性１３０２のピークとの間にピークを有する。
そして、Ｚ−ＬＥＤの分光特性１３０５は、Ｇ−ＬＥＤの分光特性１３０２と、Ｂ−ＬＥＤの分光特性１３０３との隙間を埋めるような特性を有する。具体的には、Ｚ−ＬＥＤの分光特性１３０５は、Ｇ−ＬＥＤの分光特性１３０２のピークと、Ｂ−ＬＥＤの分光特性１３０３のピークとの間にピークを有する。
そのため、直下型ＲＧＢ−ＬＥＤバックライトからの光と、直下型ＹＺ−ＬＥＤバックライトからの光とを合成することにより、直下型ＲＧＢ−ＬＥＤバックライトからの光に比べて発光スペクトル分布が広い光（合成光）を得ることができる。即ち、ユーザ間での知覚色のずれ量が小さい光を得ることができる。
そこで、本実施例では、直下型ＲＧＢ−ＬＥＤバックライトと、直下型ＹＺ−ＬＥＤバックライトとの両方を駆動して発せられる上記合成光を、第２の光として用いる。
【００９１】
本実施例に係る表示装置１０００の処理の流れは実施例１（図７）と同じである。但し、発光輝度切替処理（Ｓ７０１とＳ７０７の処理）が実施例１と異なる。
本実施例に係る発光切替処理について図１５を用いて説明する。
【００９２】
符号１１０１は、画像編集作業時やデータ変換作業時など、モニタの通常使用時におけるバックライトユニットの発光状態を示す。通常使用時には、画面の領域（通常発光領域）全体で、直下型ＲＧＢ−ＬＥＤバックライトが点灯して、画像表示が行われる。具体的には、全Ｒ−ＬＥＤ、全Ｇ−ＬＥＤ、及び、全Ｂ−ＬＥＤが点灯して、画像表示が行われる。このとき、直下型ＹＺ−ＬＥＤバックライトは消灯する。具体的には、全Ｙ−ＬＥＤ、及び、全Ｚ−ＬＥＤは消灯する。
符号１１０２は、個人視覚特性測定時におけるバックライトユニットの発光状態を示す。個人視覚特性測定時には、通常発光領域全体で、直下型ＲＧＢ−ＬＥＤバックライトが点灯し、標準発光領域で、直下型ＹＺ−ＬＥＤバックライトが点灯する。そのような発光状態で画像表示が行われる。具体的には、全ＬＥＤ（全Ｙ−ＬＥＤ、全Ｚ−ＬＥＤ、全Ｒ−ＬＥＤ、全Ｇ−ＬＥＤ、及び、全Ｂ−ＬＥＤ）が点灯して、画像表示が行われる。その結果、標準発光領域では、直下型ＲＧＢ−ＬＥＤバックライトと直下型ＹＺ−ＬＥＤバックライトの両方が点灯し、残りの領域（通常発光領域から標準発光領域を除いた領域）では、直下型ＲＧＢ−ＬＥＤバックライトのみが点灯することとなる。
【００９３】
Ｓ７０１では、上述した通常使用時における発光状態から、個人視覚特性測定時における発光状態へ、バックライトユニットの発光状態が切り替えられる。そして、Ｓ７０７では、個人視覚特性測定時における発光状態から通常使用時における発光状態へ、バックライトユニットの発光状態が切り替えられる。
【００９４】
以上述べたように、本実施例によれば、実施例１と同様に、基準パッチとしてユーザ間の知覚色のずれが小さい画像を表示することができ、基準パッチを個人視覚特性の測定の基準として用いることができる。その結果、個人視覚特性を高精度に測定することができる。
また、本実施例では発光素子としてＬＥＤのみが使用されるため、実施例１に比べて消費電力を低減することができる。
【００９５】
＜実施例３＞
本発明の実施例３に係る表示装置及びその制御方法について説明する。実施例２では、第２光源として直下型ＹＺ−ＬＥＤバックライトを用いたが、本実施例では第２光源とし
て直下型Ｗ−ＬＥＤバックライトを用いる。
なお、以下では、実施例２と異なる点についてのみ説明し、実施例２と同じ構成等については説明を省略する。
【００９６】
本実施例に係る発光部（バックライトユニット）の構造について、図１６を用いて説明する。図１６には、本実施例に係るバックライトユニットの構造を示す正面図が示されている。本実施例では、バックライトユニットは、画面の領域のうちの一部の領域で第１の光と第２の光を切り替えて発光可能に構成されている。
【００９７】
本実施例に係るバックライトユニットは、直下型ＲＧＢ−ＬＥＤバックライト（第１光源）と、直下型Ｗ−ＲＧＢバックライト（第２光源）とを有する。
直下型Ｗ−ＬＥＤバックライトは、複数のＷ−ＬＥＤ１２１０を有する直下型のバックライトである。Ｗ−ＬＥＤは、白色光を発する白色ＬＥＤである。複数のＷ−ＬＥＤ１２１０は、ＬＥＤ間の間隔が略一定となるように、標準発光領域全体に渡って配置されている。
直下型ＲＧＢ−ＬＥＤバックライトの構成は実施例２と同様であるため、その説明は省略する。
【００９８】
以上のような構成のバックライトユニットを用いることにより、標準発光領域ではユーザ間での知覚色のずれ量が小さいバックライト光を用いた画像表示を行うことが可能となる。そして、本実施例では、基準パッチを標準発光領域に表示することにより、基準パッチを個人視覚特性の測定の基準として用いることが可能となり、個人視覚特性を高精度に測定することが可能となる。標準発光領域でユーザ間での知覚色のずれ量が小さいバックライト光が得られる理由については後述する。
【００９９】
標準発光領域でユーザ間での知覚色のずれ量が小さいバックライト光を得るための方法について図１７を用いて説明する。図１７は、各発光素子から発せられる光の分光特性を示す図である。
本実施例では、実施例２と同様に、直下型ＲＧＢ−ＬＥＤバックライトからの光が第１の光として用いられる。
Ｗ−ＬＥＤの分光特性１３１０は、分光特性１３０１〜１３０３と比べて、発光スペクトル分布が広い波形を有する。そのため、直下型Ｗ−ＬＥＤバックライトを駆動することにより、直下型ＲＧＢ−ＬＥＤバックライトからの光に比べてユーザ間での知覚色のずれ量が小さい光を得ることができる。
なお、直下型Ｗ−ＬＥＤバックライトからの光は、直下型ＲＧＢ−ＬＥＤバックライトからの光に比べてユーザ間での知覚色のずれ量が小さい。また、直下型ＲＧＢ−ＬＥＤバックライトからの光と、直下型Ｗ−ＬＥＤバックライトからの光との合成光も、直下型ＲＧＢ−ＬＥＤバックライトからの光に比べてユーザ間での知覚色のずれ量が小さい。
【０１００】
そこで、本実施例では、通常使用時には、画面の領域（通常発光領域）全体で、直下型ＲＧＢ−ＬＥＤバックライトを点灯させて、画像表示が行われる。このとき、直下型Ｗ−ＬＥＤは消灯させる。
個人視覚特性測定時には、通常発光領域全体で、直下型ＲＧＢ−ＬＥＤバックライトを点灯させ、標準発光領域で、直下型Ｗ−ＬＥＤバックライトを点灯させる。そのような発光状態で画像表示が行われる。その結果、標準発光領域では、直下型ＲＧＢ−ＬＥＤバックライトと直下型Ｗ−ＬＥＤバックライトの両方が点灯し、残りの領域（通常発光領域から標準発光領域を除いた領域）では、直下型ＲＧＢ−ＬＥＤバックライトのみが点灯することとなる。
【０１０１】
なお、個人視覚特性測定時には、標準発光領域で直下型Ｗ−ＬＥＤバックライトのみを
点灯させ、残りの領域で直下型ＲＧＢ−ＬＥＤバックライトのみを点灯させてもよい。即ち、個人視覚特性測定時には、標準発光領域に配置されたＷ−ＬＥＤを点灯させ、標準発光領域に配置されたＲ−ＬＥＤ、Ｇ−ＬＥＤ、及び、Ｂ−ＬＥＤを消灯させてもよい。そして、標準発光領域以外の領域に配置されたＲ−ＬＥＤ、Ｇ−ＬＥＤ、及び、Ｂ−ＬＥＤを点灯させてもよい。直下型Ｗ−ＬＥＤバックライトからの光の分光特性の方が、上記合成光の分光特性に比べて、発光スペクトル分布が広い分光特性を有する。そのため、直下型Ｗ−ＬＥＤバックライトからの光を用いたほうが、上記合成光を用いた場合に比べて、ユーザ間の知覚色のずれがより小さい画像表示を実現できる。
【０１０２】
以上述べたように、本実施例によれば、実施例１，２と同様に、基準パッチとしてユーザ間の知覚色のずれが小さい画像を表示することができ、基準パッチを個人視覚特性の測定の基準として用いることができる。その結果、個人視覚特性を高精度に測定することができる。
また、本実施例では発光素子としてＬＥＤのみが使用されるため、実施例１に比べて消費電力を低減することができる。
【０１０３】
＜実施例４＞
本発明の実施例４に係る表示装置及びその制御方法について説明する。
実施例２では、第１光源及び第２光源として直下型のバックライトを用いる例を説明した。本実施例では、第１光源及び第２光源としてエッジライト方式のバックライトを用いる例を説明する。
【０１０４】
本発明に係る表示装置の構成について図１８を用いて説明する。図１８は、本実施例に係る表示装置１４００の構成の一例を示すブロック図である。なお、実施例２（図１２）と同じ機能部には同じ符号を付し、その説明は省略する。
図１８に示すように、本実施例では、バックライトユニットは、エッジライト方式ＲＧＢ−ＬＥＤバックライト１４０１（第１光源）と、エッジライト方式ＹＺ−ＬＥＤバックライト１４０２（第２光源）を有する。
【０１０５】
本実施例に係る発光部（バックライトユニット）の構造について、図１９を用いて説明する。図１９には、本実施例に係るバックライトユニットの構造を示す正面図と断面図（側面図）が示しされている。本実施例では、バックライトユニットは、画面の領域のうちの一部の領域で、第１の光と第２の光を切り替えて発光可能に構成されている。
【０１０６】
上述したように、バックライトユニットは、エッジライト方式ＲＧＢ−ＬＥＤバックライト１４０１と、エッジライト方式ＹＺ−ＬＥＤバックライト１４０２を有する。
エッジライト方式ＲＧＢ−ＬＥＤバックライト１４０１は、複数のＲ−ＬＥＤ１６０３、複数のＧ−ＬＥＤ１６０４、及び、複数のＢ−ＬＥＤ１６０５を有するエッジライト方式のバックライトである。
エッジライト方式ＹＺ−ＬＥＤバックライト１４０２は、複数のＹ−ＬＥＤ１６０１と、複数のＺ−ＬＥＤ１６０２とを有するエッジライト方式のバックライトである。
【０１０７】
バックライトユニットは、出射面の領域が標準発光領域と一致する導光板１６０６と、出射面の領域が通常発光領域から標準発光領域を除いた領域と一致する導光板１６０７と、を有する。
導光板１６０６の入射面は画面上端に配置されている。また、Ｙ−ＬＥＤ１６０１、Ｚ−ＬＥＤ１６０２、Ｒ−ＬＥＤ１６０３、Ｇ−ＬＥＤ１６０４、及び、Ｂ−ＬＥＤ１６０５も、画面上端に配置されている。そして、それらのＬＥＤからの光は、導光板１６０６の入射面から導光板１６０６内に入射され、表面反射を繰り返し、導光板１６０６の出射面から導光板１６０６外に出射される。
導光板１６０７の入射面は画面下端に配置されている。また、Ｒ−ＬＥＤ１６０３、Ｇ−ＬＥＤ１６０４、及び、Ｂ−ＬＥＤ１６０５も、画面下端に配置されている。そして、それらのＬＥＤからの光は、導光板１６０７の入射面から導光板１６０７内に入射され、表面反射を繰り返し、導光板１６０７の出射面から導光板１６０７外に出射される。
導光板内に入射された光は、例えば、反射シート１６０８で反射したり散乱したりする。
【０１０８】
導光板外に出射された光は、拡散シート１６０９で拡散される。その結果、エッジライト方式ＲＧＢ−ＬＥＤバックライト１４０１からは、通常発光領域内で輝度ムラの無い光が発せられる。また、エッジライト方式ＹＺ−ＬＥＤバックライト１４０２からは、標準発光領域内で輝度ムラの無い光が発せられる。
ここで、“エッジライト方式ＲＧＢ−ＬＥＤバックライト１４０１から発せられる光”は、Ｒ−ＬＥＤ１６０３、Ｇ−ＬＥＤ１６０４、及び、Ｂ−ＬＥＤ１６０５を駆動したときにバックライトユニットから発せられる光を意味する。そして、“エッジライト方式ＹＺ−ＬＥＤバックライト１４０２から発せられる光”は、Ｙ−ＬＥＤ１６０１とＺ−ＬＥＤ１６０２を駆動したときにバックライトユニットから発せられる光を意味する。
【０１０９】
以上のような構成のバックライトユニットを用いることにより、標準発光領域ではユーザ間での知覚色のずれ量が小さいバックライト光を用いた画像表示を行うことが可能となる。そして、本実施例では、基準パッチを標準発光領域に表示することにより、基準パッチを個人視覚特性の測定の基準として用いることが可能となり、個人視覚特性を高精度に測定することが可能となる。ユーザ間での知覚色のずれ量が小さいバックライト光は、実施例２と同様の原理により得られる。
【０１１０】
なお、本実施例では、標準発光領域に対して、エッジライト方式ＲＧＢ−ＬＥＤバックライトとエッジライト方式ＹＺ−ＬＥＤバックライトで共通の導光板１６０６が使用される例を説明したが、バックライトユニットの構成はこれに限らない。例えば、標準発光領域に対して、Ｒ−ＬＥＤ、Ｇ−ＬＥＤ、及び、Ｂ−ＬＥＤからの光が入射される導光板と、Ｙ−ＬＥＤとＺ−ＬＥＤからの光が入射される導光板と、の２つの導光板が設けられてもよい。そして、Ｒ−ＬＥＤ、Ｇ−ＬＥＤ、及び、Ｂ−ＬＥＤからの光が入射される導光板として、標準発光領域に対応する導光板と、残りの領域に対応する導光板と、の２つの導光板が用いられなくてもよい。Ｒ−ＬＥＤ、Ｇ−ＬＥＤ、及び、Ｂ−ＬＥＤからの光が入射される導光板として、出射面の領域が通常発光領域の領域に一致する１つの導光板が用いられてもよい。
【０１１１】
本実施例に係る表示装置１４００の処理の流れは実施例２（図７）と同じである。即ち、本実施例では、実施例２と同様に発光切替処理（Ｓ７０１とＳ７０７の処理）が行われる。
本実施例に係る発光切替処理について図２０を用いて説明する。
【０１１２】
符号１５０１は、画像編集作業時やデータ変換作業時など、モニタの通常使用時におけるバックライトユニットの発光状態を示す。通常使用時には、画面の領域（通常発光領域）全体で、エッジライト方式ＲＧＢ−ＬＥＤバックライトが点灯して、画像表示が行われる。具体的には、全Ｒ−ＬＥＤ、全Ｇ−ＬＥＤ、及び、全Ｂ−ＬＥＤが点灯して、画像表示が行われる。このとき、エッジライト方式ＹＺ−ＬＥＤバックライトは消灯する。具体的には、全Ｙ−ＬＥＤ、及び、全Ｚ−ＬＥＤは消灯する。
符号１５０２は、個人視覚特性測定時におけるバックライトユニットの発光状態を示す。個人視覚特性測定時には、通常発光領域全体で、エッジライト方式ＲＧＢ−ＬＥＤバックライトが点灯し、標準発光領域で、エッジライト方式ＹＺ−ＬＥＤバックライトが点灯する。そのような発光状態で画像表示が行われる。具体的には、全ＬＥＤ（全Ｙ−ＬＥＤ
、全Ｚ−ＬＥＤ、全Ｒ−ＬＥＤ、全Ｇ−ＬＥＤ、及び、全Ｂ−ＬＥＤ）が点灯して、画像表示が行われる。その結果、標準発光領域では、エッジライト方式ＲＧＢ−ＬＥＤバックライトとエッジライト方式ＹＺ−ＬＥＤバックライトの両方が点灯することとなる。そして、残りの領域（通常発光領域から標準発光領域を除いた領域）では、エッジライト方式ＲＧＢ−ＬＥＤバックライトのみが点灯することとなる。
【０１１３】
Ｓ７０１では、上述した通常使用時における発光状態から、個人視覚特性測定時における発光状態へ、バックライトユニットの発光状態が切り替えられる。そして、Ｓ７０７では、個人視覚特性測定時における発光状態から通常使用時における発光状態へ、バックライトユニットの発光状態が切り替えられる。
【０１１４】
以上述べたように、本実施例によれば、実施例１〜３と同様に、基準パッチとしてユーザ間の知覚色のずれが小さい画像を表示することができ、基準パッチを個人視覚特性の測定の基準として用いることができる。その結果、個人視覚特性を高精度に測定することができる。
また、本実施例では発光素子としてＬＥＤのみが使用されるため、実施例１に比べて消費電力を低減することができる。さらに、実施例２，３の構成に比べてＬＥＤの総数を減らすことができるため、実施例２の構成に比べて消費電力を低減することができる。
【０１１５】
＜実施例５＞
本発明の実施例５に係る表示装置及びその制御方法について説明する。実施例４では、第２光源としてエッジライト方式ＹＺ−ＬＥＤバックライトを用いたが、本実施例では第２光源としてエッジライト方式Ｗ−ＬＥＤバックライトを用いる。
なお、以下では、実施例４と異なる点についてのみ説明し、実施例４と同じ構成等については説明を省略する。
【０１１６】
本実施例に係る発光部（バックライトユニット）の構造について、図２１を用いて説明する。図２１には、本実施例に係るバックライトユニットの構造を示す正面図が示されている。本実施例では、バックライトユニットは、画面の領域のうちの一部の領域で第１の光と第２の光を切り替えて発光可能に構成されている。
【０１１７】
本実施例に係るバックライトユニットは、エッジライト方式ＲＧＢ−ＬＥＤバックライト（第１光源）と、エッジライト方式Ｗ−ＲＧＢバックライト（第２光源）とを有する。エッジライト方式Ｗ−ＬＥＤバックライトは、複数のＷ−ＬＥＤ１６１０を有するエッジライト方式のバックライトである。複数のＷ−ＬＥＤ１６１０は、画面上端に配置されている。Ｗ−ＬＥＤからの光は、出射面の領域が標準発光領域と一致する導光板に入射され、当該導光板の出射面から出射される。
エッジライト方式ＲＧＢ−ＬＥＤバックライトの構成は実施例２と同様であるため、その説明は省略する。
【０１１８】
以上のような構成のバックライトユニットを用いることにより、標準発光領域ではユーザ間での知覚色のずれ量が小さいバックライト光を用いた画像表示を行うことが可能となる。そして、本実施例では、基準パッチを標準発光領域に表示することにより、基準パッチを個人視覚特性の測定の基準として用いることが可能となり、個人視覚特性を高精度に測定することが可能となる。ユーザ間での知覚色のずれ量が小さいバックライト光は、実施例３と同様の原理により得られる。
【０１１９】
本実施例では、通常使用時には、画面の領域（通常発光領域）全体で、エッジライト方式ＲＧＢ−ＬＥＤバックライトが点灯して、画像表示が行われる。このとき、エッジライト方式Ｗ−ＬＥＤは消灯する。
個人視覚特性測定時には、通常発光領域全体で、エッジライト方式ＲＧＢ−ＬＥＤバックライトが点灯し、標準発光領域で、エッジライト方式Ｗ−ＬＥＤバックライトが点灯する。そのような発光状態で画像表示が行われる。その結果、標準発光領域では、エッジライト方式ＲＧＢ−ＬＥＤバックライトとエッジライト方式Ｗ−ＬＥＤバックライトの両方が点灯することとなる。そして、残りの領域（通常発光領域から標準発光領域を除いた領域）では、エッジライト方式ＲＧＢ−ＬＥＤバックライトのみが点灯することとなる。
【０１２０】
なお、個人視覚特性測定時には、標準発光領域でエッジライト方式Ｗ−ＬＥＤバックライトのみを点灯させ、残りの領域でエッジライト方式ＲＧＢ−ＬＥＤバックライトのみを点灯させてもよい。即ち、個人視覚特性測定時には、出射面の領域が標準発光領域と一致する導光板に設けられたＷ−ＬＥＤを点灯させ、出射面の領域が標準発光領域と一致する導光板に設けられたＲ−ＬＥＤ、Ｇ−ＬＥＤ、及び、Ｂ−ＬＥＤを消灯させてもよい。そして、出射面の領域が通常発光領域から標準発光領域を除いた領域と一致する導光板に設けられたＲ−ＬＥＤ、Ｇ−ＬＥＤ、及び、Ｂ−ＬＥＤを点灯させてもよい。エッジライト方式Ｗ−ＬＥＤバックライトからの光の分光特性の方が、エッジライト方式Ｗ−ＬＥＤバックライトからの光とエッジライト方式ＲＧＢ−ＬＥＤバックライトからの光との合成光の分光特性に比べて、発光スペクトル分布が広い分光特性を有する。そのため、エッジライト方式Ｗ−ＬＥＤバックライトからの光を用いたほうが、上記合成光を用いた場合に比べて、ユーザ間の知覚色のずれがより小さい画像表示を実現できる。
【０１２１】
以上述べたように、本実施例によれば、実施例１〜４と同様に、基準パッチとしてユーザ間の知覚色のずれが小さい画像を表示することができ、基準パッチを個人視覚特性の測定の基準として用いることができる。その結果、個人視覚特性を高精度に測定することができる。
また、本実施例では発光素子としてＬＥＤのみが使用されるため、実施例１に比べて消費電力を低減することができる。さらに、実施例２，３の構成に比べてＬＥＤの総数を減らすことができるため、実施例２の構成に比べて消費電力を低減することができる。
【０１２２】
＜実施例６＞
本発明の実施例６に係る表示装置及びその制御方法について説明する。実施例１〜５では、個人視覚特性を取得するための制御等が表示装置で行われる例を説明した。本実施例では、個人視覚特性を取得するための制御等が表示装置とは異なる外部装置で行われる例を説明する。
なお、本実施例では、上記外部装置として、表示装置の表示を制御する表示制御装置を用いる例を説明する。表示制御装置は、例えば、ＰＣ（Ｐｅｒｓｏｎａｌ  Ｃｏｍｐｕｔｅｒ）である。
なお、本実施例では、表示装置が実施例１で述べたバックライトユニットを有する例を説明するが、表示装置が有するバックライトユニットは、実施例２〜５で述べた構造を有していてもよい。
【０１２３】
本実施例に係る表示装置を用いた個人視覚特性の測定方法について、図２２を用いて大まかに説明する。
符号１９０１は、本実施例に係る表示装置（モニタ）を示す。
符号１９０４は、表示装置の表示を制御する表示制御装置を示す。
表示装置１９０１と表示制御装置１９０４は、有線または無線により互いに接続されている。例えば、表示装置１９０１と表示制御装置１９０４は、画像データを伝送する画像データ線と、制御信号を伝送する制御信号線とを用いて互いに接続されている。
個人視覚特性を測定するときに、表示制御装置１９０４は、表示装置１９０１の画面に基準パッチ１９０２と測定パッチ１９０３が表示されるように、表示装置１９０１の表示を制御する。
符号１９０６は、個人視覚特性の測定対象者である。測定対象者１９０６は、モニタ１９０１に表示された基準パッチ１９０２と測定パッチ１９０３を比較し、比較結果を表示制御装置１９０４に入力する。比較結果は、例えば、表示制御装置１９０４用の入力デバイス１９０５（キーボードやマウス）を用いて入力される。
【０１２４】
本実施例に係る表示装置と表示制御装置の構成について図２３を用いて説明する。図２３は、本実施例に係る表示装置と表示制御装置の構成の一例を示すブロック図である。なお、実施例１（図５）と同じ機能部には同じ符号を付し、その説明は省略する。
【０１２５】
表示装置２０００について説明する。
【０１２６】
表示装置２０００は、表示制御装置２０１０から出力された画像データを表示する。具体的には、表示制御装置２０１０から出力された画像データが、画像入力部５０２に入力され、表示制御部５０３へ出力される。そして、表示画像データが生成されて、表示される。但し、本実施例では、表示装置２０００（表示制御部５０３）において、パッチ画像データを合成する合成処理は行われない。個人視覚特性測定時には、表示制御装置２０１０から、パッチ画像を示す画像データが出力される。
【０１２７】
通信部２００１は、外部装置（表示制御装置２０１０）と通信を行う。表示装置２０００の各機能部の動作は、通信部２００１に入力された制御信号（外部装置から出力された制御信号）に応じて制御される。例えば、バックライト制御部５０５は、表示制御装置２０１０からの指示に応じて発光切替処理を行う。発光切替処理は、実施例１〜５と同様に、個人視覚特性の測定開始時と測定終了時に行われる（図７のＳ７０１とＳ７０７）。
【０１２８】
表示制御装置２０１０について説明する。
インターフェース部２０１１は、キーボードやマウス等の入力デバイス２０１９を用いて行われたユーザ操作を示す操作信号を取得する。
記憶部２０１２は、個人視覚特性の測定結果等を記憶する記憶媒体である。
画像出力部２０１３は、表示装置２０００に画像データを出力する。表示装置２０００の通常使用時には、画像出力部２０１３は、通常画像データを出力する。例えば、記憶部２０１２に予め記録された複数の画像データのうち、ユーザに選択された画像データが通常画像データとして出力される。また、インターネットなどからユーザ操作に応じて取得された画像データが、通常画像データとして出力される。個人視覚特性の測定時には、画像出力部２０１３は、後述するパッチ表示部２０１５で生成されたパッチ画像データを出力する。通常画像データにパッチ画像データが合成された合成画像データが出力されてもよい。
通信部２０１４は、表示装置２０００（通信部２００１）と通信を行う。
パッチ表示部２０１５は、実施例１のパッチ表示部５２４と同様に、パッチ画像データ（測定パッチと基準パッチの画像データ）を生成する。
【０１２９】
個人視覚特性制御部２０１６は、個人視覚特性取得部２０１７と個人視覚特性反映部２０１８を有する。
【０１３０】
個人視覚特性取得部２０１７は、実施例１の個人視覚特性取得部５２２と同様に、ユーザ操作に応じて、個人視覚特性を測定するための各種制御を行う。例えば、個人視覚特性取得部２０１７は、個人視覚特性を測定するために、測定パッチ（第１画像）と基準パッチ（第２画像）を表示させる表示制御を行う。具体的には、個人視覚特性取得部２０１７は、パッチ表示部２０１５に対し、測定パッチおよび基準パッチのパッチ色、サイズ、表示位置などを設定し、パッチ画像データの生成を指示する。その結果、パッチ表示部２０１５によってパッチ画像データが生成され、表示装置２０００に測定パッチと基準パッチ
が表示される。パッチ表示部２０１５に対する上記処理は、個人視覚特性の測定を開始するユーザ操作が入力デバイス２０１９を用いて行われたことに応じて行われる。
また、個人視覚特性取得部２０１７は、入力デバイス２０１９を用いたユーザ操作に応じて、画面に表示された測定パッチと基準パッチの、ユーザによる知覚結果を取得する。具体的には、実施例１の個人視覚特性取得部５２２と同様に、ユーザによって選択された測定パッチを示す選択情報を取得する。そして、個人視覚特性取得部２０１７は、取得した測定結果に基づいて個人視覚特性を算出し、算出した個人視覚特性を示す個人視覚特性データを記憶部２０１２に記録する。
【０１３１】
個人視覚特性反映部２０１８は、実施例１の個人視覚特性反映部５２３と同様に、個人視覚特性取得部２０１７で取得（算出）された個人視覚特性を表示装置２０００の画質に反映させる。具体的には、個人視覚特性反映部２０１８は、モニタの画質に関するパラメータ（画質パラメータ）を、個人視覚特性に基づいて補正する。本実施例では、画質調整部５１３が実行する画質調整処理で使用されるパラメータを補正する補正値が個人視覚特性に基づいて決定され、決定された補正値が通信部２０１４，２００１を介して画質調整部５１３へ出力される。それにより、画質調整部５１３では、上記補正値でパラメータが補正され、補正されたパラメータを用いて画質調整処理が行われる。その結果、個人視覚特性を反映した画質で画像表示を行うことが可能となる。
【０１３２】
本実施例に係る表示システム（表示装置と表示制御装置を有するシステム）の動作の流れは、実施例１に係る表示装置の動作の流れ（図７）と同様であるため、その説明は省略する。
【０１３３】
以上述べたように、本実施例によれば、表示装置と外部装置を用いて、実施例１〜５と同様にバックライトユニットからの光が制御される。それにより、実施例１〜５と同様に、基準パッチとしてユーザ間の知覚色のずれが小さい画像を表示することができ、基準パッチを個人視覚特性の測定の基準として用いることができる。その結果、個人視覚特性を高精度に測定することができる。
【０１３４】
＜実施例７＞
本発明の実施例７に係る表示装置及びその制御方法について説明する。
個人視覚特性を測定して画質パラメータを補正したあとに、ディスプレイの経時変化や個人の視覚特性の変化によって、個人視覚特性に基づく画質調整処理が観察者にとって適していない処理になることがある。そして、ユーザは個人視覚特性を再測定すべきタイミングがわからない。そのため、ユーザは、個人視覚特性に基づく画質調整処理が正しくないことに気付かずに作業を行ってしまう可能性がある。
【０１３５】
そこで、実施例７では、通常使用モード時に、基準画像（基準パッチ）と検証画像（検証パッチ）を表示する例を説明する。基準画像と検証画像は画面の一部に表示される。基準画像は、個人視覚特性に基づく画質調整処理が施されていない画像であり、検証画像は、個人視覚特性に基づく画質調整処理を基準画像に施した画像である。ユーザは、基準画像と検証画像が一致するか否かによって、個人視覚特性に基づく画質調整処理が正しいか否かを判断することができる。その結果、ユーザは、個人視覚特性を再測定すべきタイミングを把握することができ、適切なタイミングで個人視覚特性の再測定を行うことができる。
【０１３６】
本実施例に係るシステムの大まかな構成について、図２５（Ａ）を用いて説明する。図２５（Ａ）に示すように、本実施例に係るシステムは、表示装置５００とＰＣ２０１０（パソコン）を有する。ＰＣ２０１０は、表示制御装置である。
図２５（Ａ）に示すように、表示装置５００はＰＣ２０１０に接続されている。図２５
（Ａ）の例では、表示装置５００は、画像ケーブル２２１０を用いてＰＣ２０１０に接続されている。また、表示装置５００は、通信ケーブル２２２０を用いてＰＣ２０１０に接続されている。画像ケーブル２２１０は、画像データを伝送するために使用される。通信ケーブル２２２０は、画像データ以外のデータ（非画像データ）を伝送するために使用される。ＰＣ２０１０には、色編集ソフトのようなＰＣアプリ（ＰＣアプリケーション）がインストールされている。色編集ソフトは、例えば、映画編集ソフト、グラフィックスソフト、ビューワソフトなどである。ＰＣ２０１０のＰＣアプリが実行されると、基準パッチの画像データ（基準パッチデータ）と準検証パッチの画像データ（準検証パッチデータ）が生成される。詳細は後述するが、準検証パッチは検証パッチの元となるパッチである。そして、表示装置５００が有するバックライトの発光状態を切り替える発光切替要求がＰＣ２０１０から表示装置５００に送信される。そして、発光切替要求に応じてバックライトの発光状態が切り替えられ、ＰＣ２０１０で生成されたパッチデータが表示される。このとき、ＰＣ２０１０から表示装置５００に、基準パッチと検証パッチの表示位置が伝えられる。
なお、表示制御装置はＰＣに限らない。
なお、画像データと非画像データは同じケーブルを用いて伝送されてもよい。即ち、表示装置５００とＰＣ２０１０は１つのケーブルのみを用いて互いに接続されていてもよい。また、表示装置５００とＰＣ２０１０は無線で互いに接続されていてもよい。
【０１３７】
本実施例に係る表示制御装置と表示装置の構成について、図２４を用いて説明する。図２４は、本実施例に係る表示制御装置と表示装置の構成の一例を示すブロック図である。なお、実施例１〜６と同じ機能部には同じ符号を付し、その説明は省略する。
【０１３８】
ＰＣアプリ部２１２０は、表示制御装置２０１０にインストールされたアプリケーションであるＰＣアプリを実行することにより実現される機能部である。ＰＣアプリ部２１２０は、個人視覚特性の測定、パッチ表示位置の決定、パッチの表示を行う。ＰＣアプリ２１２０は、個人視覚特性制御部２０１６、パッチ表示部２０１５、及び、パッチ表示位置決定部２１１０を有する。
【０１３９】
バックライトユニットは、第１光源であるＲＧＢ１−ＬＥＤバックライト２１０１と、第２光源であるＢ２−ＬＥＤバックライト２１０２と、を有する。バックライト制御部５０５は、画質調整部５１３で決定された目標輝度でバックライトユニットを発光させる。即ち、バックライト制御部５０５は、画質調整部５１３で決定された目標輝度に基づいて、ＲＧＢ１−ＬＥＤバックライト２１０１及びＢ２−ＬＥＤバックライト２１０２の発光輝度を制御する。また、バックライト制御部５０５は、個人視覚特性制御部５２１からの要求（発光切替要求）に応じて、ＲＧＢ１−ＬＥＤバックライト２１０１とＢ２−ＬＥＤバックライト２１０２の発光状態を切り替える発光切替処理を行う。ＲＧＢ１−ＬＥＤバックライト２１０１とＢ２−ＬＥＤバックライト２１０２は、表示部５０４（液晶パネル）の背面に光を照射する発光モジュールである。
【０１４０】
パッチ表示位置決定部２１１０は、基準パッチと検証パッチの表示位置を決定する。パッチ表示位置決定部２１１０は、ユーザの作業領域を考慮して、作業を阻害しない領域にパッチを表示するように表示位置を決定する。
【０１４１】
本実施例に係るバックライトユニットの構造について、図２６を用いて説明する。図２６は、本実施例に係るバックライトユニットの構造を示す正面図である。
【０１４２】
図２６に示すように、ＲＧＢ１−ＬＥＤバックライト２１０１は、直下型のバックライトであり、赤色ＬＥＤ２１０３、緑色ＬＥＤ２１０４、及び、青色ＬＥＤ２１０５（第１の青色ＬＥＤ）を有する。
また、図２６に示すように、Ｂ２−ＬＥＤバックライト２１０２は、直下型のバックライトであり、青色ＬＥＤ２１０６（第２の青色ＬＥＤ）を有する。
本実施例では、図２６に示すように、赤色ＬＥＤ２１０３、緑色ＬＥＤ２１０４、青色ＬＥＤ２１０５、及び、青色ＬＥＤ２１０６の４つのＬＥＤによって１つのＬＥＤ群が構成されている。そして、複数のＬＥＤ群が画面全体に渡って等間隔に配置されている。
【０１４３】
ところで、個人視覚特性の違いによる色の見えの違いの度合いは、色によって異なることがわかっている。具体的には、個人視覚特性の違いによる青色波長の色の見えの違いが最も大きいことがわかっている。そこで、本実施例では、図２６に示すように分光特性の異なる２つの青色発光ダイオードＢ−ＬＥＤを使い、個人視覚特性を測定する構成としている。詳細は後述するが、分光特性が互いに異なる２つの青色発光ダイオードＢ−ＬＥＤを点灯させることにより、個人視覚特性の違いによる色の見えの違いを低減することができる。
【０１４４】
本実施例では、ＲＧＢ１−ＬＥＤバックライト２１０１からの光が第１の光として用いられる。そして、Ｂ２−ＬＥＤバックライト２１０２を消灯させ、且つ、ＲＧＢ１−ＬＥＤバックライト２１０１を点灯させた状態で、検証パッチが表示される。即ち、検証パッチを表示する検証表示領域では、Ｂ２−ＬＥＤバックライト２１０２が消灯させられ、ＲＧＢ１−ＬＥＤバックライト２１０１が点灯させられる。
また、ＲＧＢ１−ＬＥＤバックライト２１０１からの光と、Ｂ２−ＬＥＤバックライト２１０２からの光と、の合成光が、第２の光として用いられる。そして、ＲＧＢ１−ＬＥＤバックライト２１０１とＢ２−ＬＥＤバックライト２１０２の両方を点灯させて、基準パッチが表示される。即ち、基準パッチを表示する基準表示領域では、ＲＧＢ１−ＬＥＤバックライト２１０１とＢ２−ＬＥＤバックライト２１０２の両方が点灯させられる。
以後、ＲＧＢ１−ＬＥＤバックライト２１０１が有する青色発光ダイオード（青色ＬＥＤ２１０５）を“Ｂ１−ＬＥＤ”と記載し、Ｂ２−ＬＥＤバックライト２１０２が有する青色発光ダイオード（青色ＬＥＤ２１０６）を“Ｂ２−ＬＥＤ”と記載する。
【０１４５】
Ｂ１−ＬＥＤ２１０５とＢ２−ＬＥＤ２１０６の分光特性の一例を図２９に示す。図２９には、赤色ＬＥＤ２１０３と緑色ＬＥＤ２１０４の分光特性も図示されている。符号２６０５は、Ｂ１−ＬＥＤ２１０５の分光特性を示し、符号２６０６は、Ｂ２−ＬＥＤ２１０６の分光特性を示す。図２９の例では、Ｂ２−ＬＥＤ２１０６の分光特性２６０６は、Ｂ１−ＬＥＤ２１０５の分光特性２６０５の波長ピークよりも短波長側に波長ピークを有する。そして、符号２６００は、Ｂ１−ＬＥＤ２１０５とＢ２−ＬＥＤ２１０６の両方を点灯させて得られる合成光の分光特性（合成分光特性）を示す。合成分光特性２６００の半値幅は、Ｂ１−ＬＥＤ２１０５の分光特性の半値幅よりも広い。これは、Ｂ１−ＬＥＤ２１０５からの光よりも、Ｂ１−ＬＥＤ２１０５とＢ２−ＬＥＤ２１０６の両方を点灯させて得られる合成光のほうが、個人視覚特性の違いによる色の見えの違いが小さいことを意味する。本実施例では、この特性を利用して、個人視覚特性が測定される。
【０１４６】
本実施例に係るバックライトユニットは、以上のような構造を有する。
なお、上述したように、本実施例では、複数のＬＥＤ群（赤色ＬＥＤ２１０３、緑色ＬＥＤ２１０４、青色ＬＥＤ２１０５、及び、青色ＬＥＤ２１０６の４つのＬＥＤからなるＬＥＤ群）が画面全体に渡って配置されている。そのため、本実施例では、バックライトユニットは、画面の領域全体で第１の光と第２の光を切り替えて発光することができる。
なお、本実施例では、直下型のバックライトを用いた場合について説明するが、ＲＧＢ１−ＬＥＤバックライト２１０１の代わりにエッジライト方式のバックライトが使用されてもよい。Ｂ２−ＬＥＤバックライト２１０２の代わりにエッジライト方式のバックライトが使用されてもよい。また、バックライトユニットとして、他の実施例で説明したバックライトユニットが使用されてもよい。
なお、Ｂ２−ＬＥＤ２１０６の分光特性は、Ｂ１−ＬＥＤ２１０５の分光特性の波長ピークよりも長波長側に波長ピークを有していてもよい。
【０１４７】
本実施例に係るシステムの処理の流れの一例について、図２７を用いて説明する。図２７は、個人視覚特性の適用状態を確認できる基準パッチと検証パッチを表示して、個人視覚特性の再測定が行われるまでの処理フローの一例を示すフローチャートである。
【０１４８】
Ｓ２４００において、システム制御部５１２が、ＰＣアプリの起動が完了したことを示す起動完了通知を、表示制御装置２０１０から受信する。本実施例では、ＰＣアプリが起動したタイミングで、基準パッチと検証パッチの表示が開始される。そして、ＰＣアプリを終了するまで、基準パッチと検証パッチが表示される。
【０１４９】
Ｓ２４０１において、表示制御装置２０１０から表示装置５００へ出力された画像データが、測定済みの個人視覚特性に基づく画質調整処理が施されて、表示される。具体的には、システム制御部５１２が、個人視覚特性反映部５２３に個人視覚特性の反映を要求する。個人視覚特性反映部５２３は、個人視覚特性取得部５２２により取得した個人視覚特性を表示装置５００の画質へ反映させるため、モニタの画質情報を取得する処理、及び、個人視覚特性に基づく画質調整処理で使用する補正値を算出する処理、を行う。個人視覚特性反映部５２３は、算出した補正値を画質調整部５１３へ出力する。画質調整部５１３は、上記補正値を用いた画質調整処理を、表示装置５００に入力された画像データに施す。そして、表示部５０４が、画質調整処理後の画像データを表示する。このとき、表示装置５００の動作モードは通常使用モードである。そのため、バックライトユニットは、画面の領域全体に渡って第１の光を発する。
【０１５０】
Ｓ２４０１では、表示装置５００に入力された画像データが表す画像の全領域に対して、測定済みの個人視覚特性に基づく画質調整処理が施される。それにより、個人視覚特性の測定後の通常使用モード時に、個人視覚特性が反映された画質の画像を表示することができる。換言すれば、ユーザに正しい色を知覚させることのできる表示を行うことができる。本実施例では、ＰＣアプリは、画像の編集（色編集など）を行うためのアプリケーションであり、編集対象の画像であるメイン画像が配置された画像を表す画像データが表示装置５００に入力される。Ｓ２４０１の処理を行うことにより、編集対象のメイン画像の正確な色をユーザに知覚させることができる。以後、測定済みの個人視覚特性に基づく画質調整処理をメイン画像に施した画像を、“表示用メイン画像”と記載する。
【０１５１】
Ｓ２４０１で上述した処理を行うことにより、ユーザは、例えば、個人視覚特性が考慮された正確な色を知覚しながら編集作業を行うことができる。図２８（Ａ）は、編集作業時の表示画像（画面に表示された画像）の一例を示す図である。符号２５１０は、表示用メイン画像、符号２５２０は、色編集のためのツールボックスを示す。
【０１５２】
Ｓ２４０２において、表示制御装置２０１０は、表示装置５００に対して基準パッチと検証パッチの表示を行う旨の通知を行う。具体的には、表示制御装置２０１０のパッチ表示部２０１５が、通信制御部２０１４を介して、表示装置５００のシステム制御部５１２に発光切替要求を送信する。システム制御部５１２は、発光切替要求を受信すると、発光切替要求を受け付けた旨の応答を表示制御装置２０１０に返す。
【０１５３】
Ｓ２４０３において、パッチ表示位置決定部２１１０は、バックライトユニットの発光を切り替える領域の位置を、表示装置５００のシステム制御部５１２に送信する。即ち、パッチ表示位置決定部２１１０は、基準パッチの表示位置を送信する。そして、システム制御部５１２からバックライト制御部５０５に基準パッチの表示位置が通知される。パッチ表示位置決定部２１１０は、ユーザによる編集作業の邪魔にならない領域内にパッチが
表示されるように、パッチの表示位置を決定する。図２８（Ａ）において、編集作業の邪魔にならない領域は、表示用メイン画像２５１０やツールボックス２５２０の領域以外の領域である。例えば、編集作業の邪魔にならない領域は、空白領域２５９０である。図２８（Ａ）において、画像全体のサイズは水平方向１２００ピクセル×垂直方向１６００である。空白領域２５９０は、水平方向の座標ｘ＝０、垂直方向の座標ｙ＝１０００、幅ｗ（水平方向のサイズ）＝２００ピクセル、高さｈ（垂直方向のサイズ）＝６００ピクセルの領域である。パッチ表示位置決定部２１１０は、空白領域２５９０の内側に基準パッチと検証パッチが表示されるように、基準パッチと検証パッチの表示位置を決定する。表示用メイン画像２５１０やツールボックス２５２０の配置が変更されると、空白領域２５９０が変化することがある。そのため、空白領域２５９０が変化した場合には、基準パッチと検証パッチの表示位置も変化する。例えば、表示用メイン画像２５１０やツールボックス２５２０の配置が変更されたことに応じて、基準パッチと検証パッチの表示位置を決定する処理が再度行われる。若しくは、空白領域２５９０の変化を検出し、空白領域２５９０が変化したことに応じて、基準パッチと検証パッチの表示位置を決定する処理が再度行われる。
【０１５４】
Ｓ２４０４において、バックライト制御部５０５が、基準パッチの表示領域（基準パッチが表示される領域）におけるＢ２−ＬＥＤバックライトを点灯させる。その結果、基準パッチの表示領域では、ＲＧＢ１−ＬＥＤバックライトとＢ２−ＬＥＤバックライトの両方が点灯することになる。換言すれば、基準パッチの表示領域では、バックライトユニットから第２の光が発せられることになる。ここでは、バックライト制御部５０５は、Ｂ２−ＬＥＤバックライトの点灯前後の発光輝度が同じ値となるように、基準パッチの表示領域におけるＢ１−ＬＥＤの発光輝度を下げる処理も行う。
【０１５５】
図２９（Ａ）に示す分光特性２６０５は、Ｂ２−ＬＥＤを点灯させる前のＢ１−ＬＥＤの分光特性の一例を示す。そして、図２９（Ｂ）に示す分光特性２６０５は、Ｂ２−ＬＥＤを点灯させた後のＢ１−ＬＥＤの分光特性の一例を示す。図２９（Ａ），２９（Ｂ）から、Ｂ２−ＬＥＤを点灯させた後では、Ｂ２−ＬＥＤを点灯させる前に比べてＢ１−ＬＥＤの分光特性２６０５の光強度（波長ピークの高さ）が低いことがわかる。そして、図２９（Ｂ）に示す合成分光特性２６００の光強度が、Ｂ２−ＬＥＤを点灯させる前の分光特性２６０５（Ｂ１−ＬＥＤの分光特性）の光強度と略一致していることがわかる。輝度センサを用いた発光輝度の調整方法は実施例１と同様であるため、その説明は省略する。
【０１５６】
本実施例では、Ｂ１−ＬＥＤとＢ２−ＬＥＤの両方を点灯させることで、青色の分光特性として、半値幅が広い合成分光特性２６００が得られる。その結果、Ｂ２−ＬＥＤを点灯させない場合と比較して、個人視覚特性の違いによる色の見えの違いを低減することができる。個人視覚特性の適用状態は、この仕組みを利用して確認することができる。
【０１５７】
なお、少なくとも検証パッチの表示領域を含む領域で第１の光が発せられ、少なくとも基準パッチの表示領域を含む領域で第２の光が発せられれば、個人視覚特性の再測定を行うタイミングを判断することができる。そのため、検証パッチの表示領域でのみ第１の光が発せられてもよいし、基準パッチの表示領域よりも広い領域で第２の光が発せられてもよい。
【０１５８】
Ｓ２４０５において、表示制御装置２０１０の個人視覚特性反映部５２３が、基準パッチの表示領域に対する画質調整処理（測定済みの個人視覚特性に基づく画質調整処理）を行わないための調整停止要求を、システム制御部５１２に出力する。システム制御部５１２は、入力された調整停止要求を画質調整部５１３へ出力する。その結果、基準パッチの表示領域には画質調整処理が施されなくなる。換言すれば、基準パッチの表示領域以外の領域に対してのみ画質調整処理が施されることとなる。
【０１５９】
Ｓ２４０６において、パッチ表示部２０１５が、パッチ表示位置決定部２１１０が決定した基準パッチと検証パッチの表示位置に従い、基準パッチデータと準検証パッチデータを生成する。準検証パッチデータは中間データであり、のちに表示装置２０００の画質調整部５１３で画質調整処理が施される。表示制御装置２０１０においては、準検証パッチデータの画素値は、基準パッチデータの画素値と等しい。準検証パッチデータと基準パッチデータの画素値は、例えば、グレーの画素値（Ｒ値＝Ｇ値＝Ｂ値＝１２８）である。そして、基準パッチと準検証パッチ（準検証パッチデータが表す画像；基準パッチと同じ画像）が配置された画像を示す画像データが表示制御装置２０１０から出力される。そして、準検証パッチのみが、表示装置２０００の画質調整部５１３で画質調整処理が施され、個人視覚特性に基づく結果が反映される。その結果、基準パッチが、画質調整処理が施されずに表示され、準検証パッチが、画質調整処理によって検証パッチに変換されて表示される。
【０１６０】
図２８（Ｂ）は、パッチが配置された後の表示画像の一例を示す図である。Ｓ２４６０の処理により、空白領域２５９０内に、基準パッチ２５３０と検証パッチ２５４０が表示される。図２８（Ｂ）の例では、基準パッチ２５３０の近傍（基準パッチ２５３０から所定の距離だけ離れた位置）に、検証パッチ２５４０が表示されている。パッチデータが生成されると、パッチ表示部２０１５は、システム制御部５１２にパッチの表示が完了したことを通知する。図２８（Ｂ）において、符号２５５０は標準発光領域を示し、符号２５６０は通常発光領域を示す。図２８（Ｂ）の例では、基準パッチの表示領域が標準発光領域２５５０であり、基準パッチの表示領域以外の領域が通常発光領域２５６０である。
【０１６１】
Ｓ２４０７において、ユーザが、基準パッチと検証パッチを確認し、現在の個人視覚特性の適用状態が正しいか否か確認する。
【０１６２】
適用状態の確認方法について説明する。ユーザは、第１の光を用いて表示された検証パッチ２５４０の色が、第２の光を用いて表示された基準パッチ２５３０の色と一致して見えるかを確認する。２つのパッチの色が一致して見える場合には、正しい個人視覚特性が適用されている（正確な画質調整処理が施されている）と判断され、本フローが終了される。一方、２つのパッチの色が一致して見えない場合には、正確でない個人視覚特性が適用されていると判断され、Ｓ２４０８に処理が進められる。例えば、正確でない個人視覚特性が適用されていると判断したユーザは、図２８（Ｂ）に示す再測定ボタン２５９５を、マウス２０１９を用いて選択する。再測定ボタン２５９５が選択されると、パッチの色が一致していないという結果がＰＣアプリ部２１２０からシステム制御部５１２に送られ、Ｓ２４０８に処理が進められる。
【０１６３】
基準パッチ２５３０は第２の光を用いて表示されているため、個人視覚特性の違いによる基準パッチ２５３０の色の見えの違いは小さい。そして、検証パッチ２５４０は前回の個人視覚特性の測定結果が反映されて表示されているため、前回の個人視覚特性の測定結果が現在の個人視覚特性と一致していれば、基準パッチ２５３０の色と検証パッチ２５４０の色とは略同じ色に見える。一方、前回の個人視覚特性の測定結果が現在の個人視覚特性と一致していない場合には、検証パッチ２５４０の色は、基準パッチ２５３０の色と異なる色に見える。例えば、ユーザが別のユーザに変わった場合、ユーザの視覚特性が経年変化した場合、等において、検証パッチ２５４０の色が、基準パッチ２５３０の色と異なる色に見えることがある。また、ディスプレイの表示特性が経年変化した場合にも、検証パッチ２５４０の色が、基準パッチ２５３０の色と異なる色に見えることがある。検証パッチ２５４０の色が、基準パッチ２５３０の色と異なる色に見える場合には、再度、個人視覚特性の測定をする必要がある。
【０１６４】
Ｓ２４０８において、個人視覚特性の再測定が行われる。個人視覚特性の測定方法は、実施例１と同様である。システム制御部５１２は、個人視覚特性が再測定されるように各機能部を制御する。
【０１６５】
ユーザによって、図２８（Ｂ）に示す再測定ボタン２５９５が押下されると、図２８（Ｃ）に示すように個人視覚特性の再測定用の画像が表示される。実施例１と同様の方法で、基準パッチ２５３５と測定パッチ２５４５が表示される。
【０１６６】
個人視覚特性を再測定する際に、視覚特性反映部２０１８は、システム制御部５１２を介して画質調整部５１３に、個人視覚特性に基づく画質調整処理の実行の停止を示す要求を出力する。それにより、個人視覚特性に基づく画質調整処理の実行が停止される。
また、視覚特性反映部２０１８は、通信制御部２０１４を介して画像表示装置５００に、バックライトユニットの発光の切り替えを示す要求を出力する。その結果、バックライト制御部５０５は、全てのＢ２−ＬＥＤを消灯させ、画面全体の領域に渡ってＲＧＢ１−ＬＥＤバックライトを点灯させる。
【０１６７】
そして、画面全体を黒色となるように黒画像が表示される。その後、バックライト制御部５０５は、画面の一部の領域におけるＢ２−ＬＥＤを再度点灯させる。Ｂ２−ＬＥＤが点灯している領域（ＲＧＢ１−ＬＥＤバックライトとＢ２−ＬＥＤバックライトの両方が点灯している領域）が標準発光領域２５５０として使用される。そして、Ｂ２−ＬＥＤが点灯していない領域（ＲＧＢ１−ＬＥＤバックライトのみが点灯している領域）が通常発光領域２５６０として使用される。
【０１６８】
発光状態の切り替えが完了すると、パッチ表示部２０１５は、標準発光領域２５５０に基準パッチ２５３５が表示され、その近傍（通常発光領域２５６０）に測定パッチ２５４５が表示されるように、パッチデータを生成する。個人視覚特性に基づく画質調整処理の実行は停止されているため、パッチデータは、個人視覚特性に基づく画質調整処理が施されずに、表示される。図２８（Ｃ）の例では、画素値が異なる５つの測定パッチ２５４５が表示される。また、画素値が等しい５つの基準パッチ２５３５が表示される。基準パッチ２５３５の色に最も近い色に見える測定パッチ２５４５を５つの測定パッチ２５４５の中からユーザに選択させる処理が、複数の画素値（基準パッチの画素値）について行われる。それにより、個人視覚特性が再測定され、現在の個人視覚特性に対応する補正値（画質調整処理で使用されるパラメータの補正値）を得ることができる。
【０１６９】
個人視覚特性の再測定が終了すると、表示が図２８（Ｃ）の表示から図２８（Ｂ）の表示に切り替えられる。
【０１７０】
最後に、Ｓ２４０９において、ＰＣアプリが終了したか否かが判断される。ＰＣアプリが動作中の場合にはＳ２４０７に処理が戻される。ＰＣアプリが終了された場合には、基準パッチデータと準検証パッチデータが削除される。そして、バックライト制御部５０５は、画面全体に渡って第１の光が発せられるようにバックライトユニットの発光状態を制御する。
【０１７１】
以上述べたように、本実施例によれば、通常使用モードにおいて、個人視覚特性の適用状態を確認できる基準パッチと検証パッチが表示される。それにより、ユーザは、適用されている個人視覚特性が正しいか否かを確認しながら、色編集などの通常の作業をすることができる。これにより、ディスプレイの表示特性やユーザの個人視覚特性が経年変化した場合に、ユーザは通常の作業を続けながらそれらの特性の変化に気づくことができる。その結果、適切なタイミングで個人視覚特性の再測定を実行することができる。そして、ユーザは、個人視覚特性が再測定されることで画像の正確な色を知覚することができるよ
うになる。
【０１７２】
また、ディスプレイを複数人で見た場合に、各人が正しい色で見えているかを確認することができる。例えば、複数人で観察する場合には、図２８（Ｄ）に示すように、基準パッチ２５３０と検証パッチ２５４０の他に、「２つのパッチの色が同じ色に見えているユーザは画像を正確に観察できています」などのメッセージ画像を表示すればよい。それにより、全員が画像の色を正確に見ることができているか、画像の色を正確に見ることができていないユーザがいるか、画像の色を正確に見ることができているユーザとできていないユーザは誰か、等を判断することができる。
【０１７３】
なお、図２８には、画面左下の空白領域にパッチが表示される例を示したが、本実施例では、バックライトユニットが画面の領域全体に渡って第２の光を発することができるため、パッチは画面の右上、右下、左上、中央など、どこに表示されてもよい。
【０１７４】
なお、本実施例では、ＰＣ（ＰＣアプリ部）によってパッチデータが生成される例を説明したが、これに限らない。図２５（Ｂ）に示すように、ＰＣから表示装置にパッチの表示位置（または空白領域を示す情報）が送られ、表示装置内でパッチデータが生成されてもよい。
【０１７５】
なお、本実施例では、単色のパッチを表示する例を説明したが、これに限らない。例えば、パッチとして、複数の画素値を有する画像が表示されてもよい。具体的には、パッチとして、画素値Ａから画素値Ｂに変化するグラデーションの画像が表示されてもよい。また、パッチではなく、アイコン等のグラフィック画像が表示されてもよい。基準パッチデータとしてグラフィック画像のデータが使用され、準検証パッチデータとして基準パッチデータと同じグラフィック画像のデータが使用されてもよい。
【０１７６】
なお、本実施例では、１つの基準パッチと１つの検証パッチを表示する例を説明したが、複数の基準パッチと、複数の基準パッチに対応する複数の検証パッチと、が表示されてもよい。
【０１７７】
＜実施例８＞
本発明の実施例８に係る表示装置及びその制御方法について説明する。
本実施例では、メイン画像の画素値に基づいて基準パッチの画素値（準検証パッチデータの画素値）を決定する例を説明する。
【０１７８】
本実施例に係る表示制御装置と表示装置の構成について、図３０を用いて説明する。図３０は、本実施例に係る表示制御装置と表示装置の構成の一例を示すブロック図である。なお、実施例７と同じ機能部には同じ符号を付し、その説明は省略する。
【０１７９】
ＰＣアプリ部２１２０は、画像解析部２８１０をさらに有する。なお、画像解析部２８１０は表示装置５００に設けられていてもよい。
【０１８０】
本実施例では、実施例７と同様に、通常の画像表示が行われる際に、基準画像（基準パッチ）、検証画像（検証パッチ）、及び、表示用メイン画像が表示される。具体的には、ＰＣアプリが実行されることによってＰＣアプリ部２１２０の機能が実現された際に、基準画像（基準パッチ）、検証画像（検証パッチ）、及び、表示用メイン画像が表示される。実施例７で述べたとおり、表示用メイン画像は、メイン画像に画質調整処理（測定済みの個人視覚特性に基づく画質調整処理）を施した画像である。
画像解析部２８１０は、メイン画像に含まれる色を解析することによって、メイン画像に含まれる色の中で、色の見えの違いが最も目立つ含有色を判断する。そして、パッチ表
示部２１１０では、画像解析部２８１０の判断結果に基づいて、メイン画像の含有色のパッチデータである基準パッチデータと準検証パッチデータが生成される。その後、実施例６と同様の処理により、メイン画像の含有色の基準パッチが表示される。本実施例では、ユーザの視覚特性の違いによる色の見えの違いが最も目立つ含有色が判断される。そして、パッチ表示部２１１０では、色の見えの違いが最も目立つ含有色のパッチデータである基準パッチデータと準検証パッチデータが生成される。その後、実施例６と同様の処理により、色の見えの違いが最も目立つ含有色の基準パッチが表示される。
【０１８１】
本実施例に係るシステムの処理の流れの一例について、図３１を用いて説明する。図３１は、個人視覚特性の適用状態を確認できる基準パッチと検証パッチを表示して、個人視覚特性の再測定が行われるまでの処理フローの一例を示すフローチャートである。
【０１８２】
図３１では、図２７のＳ２４０２とＳ２４０３の処理の間にＳ２７０１の処理が行われる。図３１のＳ２４００〜Ｓ２４０９の処理は、図２７のＳ２４００〜Ｓ２４０９の処理と同じであるため、それらの説明は省略する。
【０１８３】
Ｓ２７０１において、画像解析部２８１０が、メイン画像を解析することによって、メイン画像に含まれる色である含有色のうち、ユーザの視覚特性の違いによる色の見えの違いが最も目立つ含有色を判断する。
【０１８４】
例えば、画像解析部２８１０は、メイン画像の含有色を判断し、判断された含有色毎に個人差目立度を算出する。個人差目立度は、ユーザの視覚特性の違いによる色の見えの違いの目立ち度合いである。本実施例では、色毎に個人差影響度を示す情報が予め用意されている。個人差影響度は、ユーザの視覚特性の違いによる色の見えの違いの度合いである。そして、画像解析部２８１０は、判断された含有色毎に、その含有色の個人差影響度に当該含有色の面積比率を乗算した値を、当該含有色の個人差目立度として算出する。面積比率は、メイン画像の領域のサイズに対する含有色の領域（メイン画像の一部の領域）のサイズの割合である。その後、画像解析部２８１０は、個人差目立度が最も高い含有色を、ユーザの視覚特性の違いによる色の見えの違いが最も目立つ含有色として選択する。
【０１８５】
図３２（Ａ）に、色、個人差影響度、面積比率、及び、個人差注目度の一例を示す。図３２（Ａ）は、図２８に示す表示用メイン画像２５１０の元画像がメイン画像である場合の例を示す。符号２５８０は、色、個人差影響度、面積比率、及び、個人差注目度のテーブルを示す。
図３２（Ａ）の例では、スカイブルーの個人差注目度２６．２５（個人影響度７５×面積比率３５）が最も高いため、スカイブルーがユーザの視覚特性の違いによる色の見えの違いが最も目立つ含有色として選択される。その結果、基準パッチとしてスカイブルーのパッチが表示される。
【０１８６】
以上述べたように、本実施例によれば、実施例７と同様に、通常使用モードにおいて、基準画像と検証画像が表示される。また、その際に、基準画像として、メイン画像の含有色の画像が表示される。それにより、表示用メイン画像に対するユーザの誤認識が生じる可能性が高いことをユーザに気付かせることができる。その結果、適切なタイミングで個人視覚特性の再測定を実行することができる。具体的には、表示用メイン画像に対するユーザの誤認識が生じる可能性が高いタイミングで個人視覚特性の再測定を実行することができる。
【０１８７】
また、本実施例では、メイン画像の複数の含有色のうちユーザの視覚特性の違いによる色の見えの違いが最も目立つ含有色の画像が、基準画像として表示される。それにより、表示用メイン画像に対するユーザの誤認識が生じる可能性が高いことをより正確なタイミ
ングでユーザに気付かせることができる。その結果、より適切なタイミングで個人視覚特性の再測定を実行することができる。
【０１８８】
なお、本実施例では、ユーザの視覚特性の違いによる色の見えの違いが最も目立つ含有色を画像解析によって判断する例を説明したが、これに限らない。例えば、図３２（Ｂ）に示すように、メイン画像の複数の含有色の中から、ユーザが指定した含有色が選択されてもよい。そして、ユーザが指定した含有色の画像が、基準画像として表示されてもよい。それにより、表示用メイン画像に対するユーザの誤認識が生じる可能性が高いことをより正確なタイミングでユーザに気付かせることができる。例えば、ユーザが注目する箇所の含有色を判断することができるため、表示用メイン画像に対するユーザの誤認識が生じる可能性が高いことをより正確なタイミングでユーザに気付かせることができる。その結果、より適切なタイミングで個人視覚特性の再測定を実行することができる。
【符号の説明】
【０１８９】
４０１，５００，１０００，１４００，１９０１，２０００  表示装置
５０４  表示部
５０６  直下型ＲＧＢ−ＬＥＤバックライト
５０７  ＣＣＦＬバックライト
１００１  直下型ＹＺ−ＬＥＤバックライト
１４０１  エッジライト方式ＲＧＢ−ＬＥＤバックライト
１４０２  エッジライト方式ＹＺ−ＬＥＤバックライト
２１０１  ＲＧＢ１−ＬＥＤバックライト
２１０２  Ｂ２−ＬＥＤバックライト
【図１】
2015111230.tif 000003
【図２】
2015111230.tif 000004
【図３】
2015111230.tif 000005
【図４】
2015111230.tif 000006
【図５】
2015111230.tif 000007
【図６】
2015111230.tif 000008
【図７】
2015111230.tif 000009
【図８】
2015111230.tif 000010
【図９】
2015111230.tif 000011
【図１０】
2015111230.tif 000012
【図１１】
2015111230.tif 000013
【図１２】
2015111230.tif 000014
【図１３】
2015111230.tif 000015
【図１４】
2015111230.tif 000016
【図１５】
2015111230.tif 000017
【図１６】
2015111230.tif 000018
【図１７】
2015111230.tif 000019
【図１８】
2015111230.tif 000020
【図１９】
2015111230.tif 000021
【図２０】
2015111230.tif 000022
【図２１】
2015111230.tif 000023
【図２２】
2015111230.tif 000024
【図２３】
2015111230.tif 000025
【図２４】
2015111230.tif 000026
【図２５】
2015111230.tif 000027
【図２６】
2015111230.tif 000028
【図２７】
2015111230.tif 000029
【図２８】
2015111230.tif 000030
【図２９】
2015111230.tif 000031
【図３０】
2015111230.tif 000032
【図３１】
2015111230.tif 000033
【図３２】
2015111230.tif 000034